(57)【要約】  本発明は、ＰＵＣＣＨをベースとするアップリンク制御情報の伝送方法及び装置を提供する。ＵＥは、ダウンリンク制御情報ＤＣＩに基づき、物理アップリンク制御チャネル（ＰＵＣＣＨ）のフォーマット及び/または用いられる直交シーケンスの情報を決定するステップと、前記ＵＥは、ＰＵＣＣＨのフォーマット及び/または用いられる直交シーケンスの情報に基づき、前記ＰＵＣＣＨに搭載されたアップリンク制御情報を伝送するステップとを備える。本発明は、どのようにＰＵＣＣＨの伝送構成を選択してアップリンク制御情報を伝送するのかを実現する。【選択図】図3
2018530241.tif 000002
【特許請求の範囲】
【請求項１】
ＵＥは、ダウンリンク制御情報ＤＣＩに基づき、物理アップリンク制御チャネル（ＰＵＣＣＨ）のフォーマット及び/または用いられる直交シーケンスの情報を決定するステップと、
前記ＵＥは、ＰＵＣＣＨのフォーマット及び/または用いられる直交シーケンスの情報に基づき、前記ＰＵＣＣＨに搭載されたアップリンク制御情報を伝送するステップとを備えることを特徴とするＰＵＣＣＨをベースとするアップリンク制御情報の伝送方法。
【請求項２】
前記ＵＥは、ＤＣＩに基づき、ＰＵＣＣＨのフォーマット及び/または用いられる直交シーケンスの情報を決定するステップは、
前記ＵＥＤＣＩ内の第１指示フィールドに基づき、前記第１指示フィールドにより指示されたＰＵＣＣＨのフォーマット及び/または用いられる直交シーケンスの情報を取得するか、または、
前記ＵＥＤＣＩ内の第２指示フィールドに基づき、現行サブフレーム内のアップリンク制御情報ＵＣＩフィードバックビット数を決定し、現行サブフレーム内のＵＣＩフィードバックビット数に基づいて、ＰＵＣＣＨのフォーマット及び/または用いられる直交シーケンスの情報を決定するか、または、
前記ＵＥは、ＤＣＩ長さに基づいて、ＰＵＣＣＨのフォーマット及び/または用いられる直交シーケンスの情報を決定することを特徴とする請求項１に記載のＰＵＣＣＨをベースとするアップリンク制御情報の伝送方法。
【請求項３】
前記現行サブフレーム内のＵＣＩフィードバックビット数に基づいて、ＰＵＣＣＨのフォーマット及び/または用いられる直交シーケンスの情報を決定するステップは、
前記現行サブフレーム内のＵＣＩフィードバックビット数、及びＵＣＩフィードバックビット数とＰＵＣＣＨフォーマット及び/または用いられる直交シーケンスの情報との間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含み、各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であり、または、
現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、
前記ＵＥは、ＤＣＩ長さに基づいて、ＰＵＣＣＨのフォーマット及び/または用いられる直交シーケンスの情報を決定するステップは、
前記ＵＥは、されたＤＣＩ長に基づき、前記ＤＣＩ長さに対応するＰＵＣＣＨフォーマットを用いると決定し、ここで、異なるＤＣＩ長さに対応するＰＵＣＣＨのフォーマットそれぞれは、異なるか、または、
前記ＵＥは、されたＤＣＩ長に基づき、前記ＤＣＩ長さに対応する直交シーケンスの情報を用いると決定し、ここで、異なるＤＣＩ長さに対応する直交シーケンスの情報それぞれは異なるか、または、
前記ＵＥは、されたＤＣＩ長に基づき、前記ＤＣＩ長さに対応するＰＵＣＣＨフォーマット及び直交シーケンスの情報を用いると決定し、ここで、異なるＤＣＩ長さに対応するＰＵＣＣＨのフォーマットと用いられる直交シーケンスの組み合わせそれぞれは、異なるか、または、
前記ＵＥにより検出されＤＣＩがタイプ１のＤＣＩであれば、タイプ１のＤＣＩに対応するＰＵＣＣＨのフォーマット及び/または用いられる直交シーケンスの情報を決定し、タイプ１のＤＣＩに対応するＰＵＣＣＨフォーマットは、拡散伝送をサポートしないか、または、固定長さの直交シーケンス拡散伝送のみをサポートし、前記ＵＥにより検出されＤＣＩがタイプ２のＤＣＩであれば、タイプ２のＤＣＩに対応するＰＵＣＣＨのフォーマット及び/または用いられる直交シーケンスの情報を決定し、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項２に記載のＰＵＣＣＨをベースとするアップリンク制御情報の伝送方法。
【請求項４】
前記ＵＣＩフィードバックビット数集合内のＮ個のエレメントは、ＵＣＩフィードバックビット数のＮ個の値であるか、または、
前記ＵＣＩフィードバックビット数集合内のＮ個のエレメントはキャリア数のＮ個の値であり、各々キャリア数の値は、１ＵＣＩフィードバックビット数の値に対応するか、または、
前記ＵＣＩフィードバックビット数集合内のＮ個のエレメントはサブフレーム数のＮ個の値であり、各々サブフレーム数の値は、１ＵＣＩフィードバックビット数の値に対応するか、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応するか、または、
前記ＵＣＩフィードバックビット数集合内のＮ個のエレメントはＮ個のキャリア集合であり、各々キャリア集合は、１ＵＣＩフィードバックビット数の値に対応するか、または、
前記ＵＣＩフィードバックビット数集合内のＮ個のエレメントはＮ個のサブフレーム集合であり、各々サブフレーム集合は、１ＵＣＩフィードバックビット数の値に対応するか、または、
前記ＵＣＩフィードバックビット数集合内のＮ個のエレメントは、キャリア集合及びサブフレーム集合のＮ個の組み合わせであり、各々組み合わせは、１ＵＣＩフィードバックビット数の値に対応することを特徴とする請求項３に記載のＰＵＣＣＨをベースとするアップリンク制御情報の伝送方法。
【請求項５】
前記ＵＣＩフィードバックビット数集合は、予め定義されるか、または、高位層シグナリングにより設定されたものであり、
及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項３に記載のＰＵＣＣＨをベースとするアップリンク制御情報の伝送方法。
【請求項６】
前記Ｍ個のＵＣＩフィードバックビット数の区間は、予め設定されるか、または、高位層シグナリングにより設定され、及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項３に記載のＰＵＣＣＨをベースとするアップリンク制御情報の伝送方法。
【請求項７】
前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられることを特徴とする請求項３に記載のＰＵＣＣＨをベースとするアップリンク制御情報の伝送方法。
【請求項８】
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、
及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられるとを特徴とする請求項３に記載のＰＵＣＣＨをベースとするアップリンク制御情報の伝送方法。
【請求項９】
前記ＵＥは、されたＤＣＩ長に基づき、前記ＤＣＩ長さに対応するＰＵＣＣＨフォーマットを用いると決定する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項３に記載のＰＵＣＣＨをベースとするアップリンク制御情報の伝送方法。
【請求項１０】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項１ないし請求項９のいずれかに記載のＰＵＣＣＨをベースとするアップリンク制御情報の伝送方法。
【請求項１１】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、
及び/または、
決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項１ないし請求項９のいずれかに記載のＰＵＣＣＨをベースとするアップリンク制御情報の伝送方法。
【請求項１２】
基地局は、物理アップリンク制御チャネル（ＰＵＣＣＨ）のフォーマット及び/または用いられる直交シーケンスの情報を通知するため、ダウンリンク制御情報ＤＣＩを送信するステップと、
前記基地局は、前記ＤＣＩに対応するＰＵＣＣＨのフォーマット及び/または用いられる直交シーケンスの情報に基づき、前記ＰＵＣＣＨに搭載されたアップリンク制御情報を受信するステップとを備えることを特徴とするＰＵＣＣＨをベースとするアップリンク制御情報の伝送方法。
【請求項１３】
前記ＤＣＩに第１指示フィールドが含まれ、前記基地局は、ＰＵＣＣＨのフォーマット及び/または用いられる直交シーケンスの情報を決定し、ＰＵＣＣＨのフォーマット及び/または用いられる直交シーケンスの情報を示す指示情報を、前記ＤＣＩ内の第１指示フィールドに搭載させてＵＥに送信し、こうして、前記ＵＥに、ＤＣＩ内の第１指示フィールドにより、前記第１指示フィールドにより指示されたＰＵＣＣＨのフォーマット及び/または用いられる直交シーケンスの情報を取得させるようにし、または、
前記ＤＣＩに第２指示フィールドが含まれ、前記基地局は、現行サブフレーム内のアップリンク制御情報ＵＣＩフィードバックビット数を決定するための指示情報を、前記ＤＣＩ内の第２指示フィールドに搭載させて、ＵＥに送信し、こうして、前記ＵＥに、ＤＣＩ内の第２指示フィールドにより、現行サブフレーム内のアップリンク制御情報ＵＣＩフィードバックビット数を決定し、かつ、現行サブフレーム内のＵＣＩフィードバックビット数に基づいて、ＰＵＣＣＨのフォーマット及び/または用いられる直交シーケンスの情報を決定させるようにするか、または、
前記基地局は、ＰＵＣＣＨのフォーマット及び/または用いられる直交シーケンスの情報を決定し、決定されたＰＵＣＣＨのフォーマット及び/または用いられる直交シーケンスの情報に対応するＤＣＩを選択してＵＥに送信し、こうして、前記ＵＥに、ＤＣＩ長さに基づいて、ＰＵＣＣＨのフォーマット及び/または用いられる直交シーケンスの情報を決定させるようにすることを特徴とする請求項１２に記載のＰＵＣＣＨをベースとするアップリンク制御情報の伝送方法。
【請求項１４】
前記ＤＣＩ内の第２指示フィールドは以下のことに用いられ：前記ＵＥは、前記現行サブフレーム内のＵＣＩフィードバックビット数及びＵＣＩフィードバックビット数とＰＵＣＣＨフォーマット及び/または用いられる直交シーケンスの情報の間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含み、各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であるか、または、
前記ＤＣＩ内の第２指示フィールドは以下のことに用いられ：前記ＵＥは、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、または、
ＤＣＩ長さは、ＰＵＣＣＨフォーマットに対応し、ここで、異なるＤＣＩ長さに対応するＰＵＣＣＨのフォーマットそれぞれは、異なるか、または、
ＤＣＩ長さは直交シーケンスの情報に対応し、ここで、異なるＤＣＩ長さに対応する直交シーケンスの情報それぞれは異なるか、または、
ＤＣＩ長さは、ＰＵＣＣＨフォーマット及び直交シーケンスの情報に対応し、ここで、異なるＤＣＩ長さに対応するＰＵＣＣＨのフォーマットと用いられる直交シーケンスの組み合わせそれぞれは、異なるか、または、
タイプ１のＤＣＩに対応するＰＵＣＣＨフォーマットは、拡散伝送をサポートしないか、または、固定長さの直交シーケンス拡散伝送のみをサポートし、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項１３に記載のＰＵＣＣＨをベースとするアップリンク制御情報の伝送方法。
【請求項１５】
前記ＵＣＩフィードバックビット数集合内のＮ個のエレメントは、ＵＣＩフィードバックビット数のＮ個の値であるか、または、
前記ＵＣＩフィードバックビット数集合内のＮ個のエレメントはキャリア数のＮ個の値であり、各々キャリア数の値は、１ＵＣＩフィードバックビット数の値に対応するか、または、
前記ＵＣＩフィードバックビット数集合内のＮ個のエレメントはサブフレーム数のＮ個の値であり、各々サブフレーム数の値は、１ＵＣＩフィードバックビット数の値に対応するか、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応するか、または、
前記ＵＣＩフィードバックビット数集合内のＮ個のエレメントはＮ個のキャリア集合であり、各々キャリア集合は、１ＵＣＩフィードバックビット数の値に対応するか、または、
前記ＵＣＩフィードバックビット数集合内のＮ個のエレメントはＮ個のサブフレーム集合であり、各々サブフレーム集合は、１ＵＣＩフィードバックビット数の値に対応するか、または、
前記ＵＣＩフィードバックビット数集合内のＮ個のエレメントは、キャリア集合及びサブフレーム集合のＮ個の組み合わせであり、各々組み合わせは、１ＵＣＩフィードバックビット数の値に対応することを特徴とする請求項１４に記載のＰＵＣＣＨをベースとするアップリンク制御情報の伝送方法。
【請求項１６】
前記ＵＣＩフィードバックビット数集合は、予め定義されるか、または、高位層シグナリングにより設定されたものであり、及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項１４に記載のＰＵＣＣＨをベースとするアップリンク制御情報の伝送方法。
【請求項１７】
前記Ｍ個のＵＣＩフィードバックビット数の区間は、予め設定されるか、または、高位層シグナリングにより設定され、
及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項１４に記載のＰＵＣＣＨをベースとするアップリンク制御情報の伝送方法。
【請求項１８】
ＤＣＩ長さは、ＰＵＣＣＨフォーマットに対応し、ここで、異なるＤＣＩ長さに対応するＰＵＣＣＨのフォーマットそれぞれは、異なるか、または、
ＤＣＩ長さは直交シーケンスの情報に対応し、ここで、異なるＤＣＩ長さに対応する直交シーケンスの情報それぞれは異なるか、または、
ＤＣＩ長さは、ＰＵＣＣＨフォーマット及び直交シーケンスの情報に対応し、ここで、異なるＤＣＩ長さに対応するＰＵＣＣＨのフォーマットと用いられる直交シーケンスの組み合わせそれぞれは、異なるか、または、
前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられることを特徴とする請求項１４に記載のＰＵＣＣＨをベースとするアップリンク制御情報の伝送方法。
【請求項１９】
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、
及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられることを特徴とする請求項１４に記載のＰＵＣＣＨをベースとするアップリンク制御情報の伝送方法。
【請求項２０】
ＤＣＩ長さは、ＰＵＣＣＨフォーマットに対応する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項１４に記載のＰＵＣＣＨをベースとするアップリンク制御情報の伝送方法。
【請求項２１】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項１２ないし請求項２０のいずれかに記載のＰＵＣＣＨをベースとするアップリンク制御情報の伝送方法。
【請求項２２】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、
及び/または、
決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項１２ないし請求項２０のいずれかに記載のＰＵＣＣＨをベースとするアップリンク制御情報の伝送方法。
【請求項２３】
ダウンリンク制御情報ＤＣＩに基づきＩ、物理アップリンク制御チャネル（ＰＵＣＣＨ）のフォーマット及び/または用いられる直交シーケンスの情報を決定する決定モジュールと、
ＰＵＣＣＨのフォーマット及び/または用いられる直交シーケンスの情報に基づき、前記ＰＵＣＣＨに搭載されたアップリンク制御情報を伝送する伝送モジュールとを備えることを特徴とするＵＥ。
【請求項２４】
前記決定モジュールは、
ＤＣＩ内の第１指示フィールドに基づき、前記第１指示フィールドにより指示されたＰＵＣＣＨのフォーマット及び/または用いられる直交シーケンスの情報を取得するか、または、
ＤＣＩ内の第２指示フィールドに基づき、現行サブフレーム内のアップリンク制御情報ＵＣＩフィードバックビット数を決定し、現行サブフレーム内のＵＣＩフィードバックビット数に基づいて、ＰＵＣＣＨのフォーマット及び/または用いられる直交シーケンスの情報を決定するか、または、
ＤＣＩ長に基づき、ＰＵＣＣＨのフォーマット及び/または用いられる直交シーケンスの情報を決定することを特徴とする請求項２３に記載のＵＥ。
【請求項２５】
前記決定モジュールは、
前記現行サブフレーム内のＵＣＩフィードバックビット数、及びＵＣＩフィードバックビット数とＰＵＣＣＨフォーマット及び/または用いられる直交シーケンスの情報との間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含み、各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であり、または、
現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、または、
検出されたＤＣＩ長に基づき、前記ＤＣＩ長さに対応するＰＵＣＣＨフォーマットを用いると決定し、ここで、異なるＤＣＩ長さに対応するＰＵＣＣＨのフォーマットそれぞれは、異なるか、または、
検出されたＤＣＩ長に基づき、前記ＤＣＩ長さに対応する直交シーケンスの情報を用いると決定し、ここで、異なるＤＣＩ長さに対応する直交シーケンスの情報それぞれは異なるか、または、
検出されたＤＣＩ長に基づき、前記ＤＣＩ長さに対応するＰＵＣＣＨフォーマット及び直交シーケンスの情報を用いると決定し、ここで、異なるＤＣＩ長さに対応するＰＵＣＣＨのフォーマットと用いられる直交シーケンスの組み合わせそれぞれは、異なるか、または、
前記ＵＥにより検出されＤＣＩがタイプ１のＤＣＩであれば、タイプ１のＤＣＩに対応するＰＵＣＣＨのフォーマット及び/または用いられる直交シーケンスの情報を決定し、タイプ１のＤＣＩに対応するＰＵＣＣＨフォーマットは、拡散伝送をサポートしないか、または、固定長さの直交シーケンス拡散伝送のみをサポートし、前記ＵＥにより検出されＤＣＩがタイプ２のＤＣＩであれば、タイプ２のＤＣＩに対応するＰＵＣＣＨのフォーマット及び/または用いられる直交シーケンスの情報を決定し、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項２３に記載のＵＥ。
【請求項２６】
前記ＵＣＩフィードバックビット数集合内のＮ個のエレメントは、ＵＣＩフィードバックビット数のＮ個の値であるか、または、
前記ＵＣＩフィードバックビット数集合内のＮ個のエレメントはキャリア数のＮ個の値であり、各々キャリア数の値は、１ＵＣＩフィードバックビット数の値に対応するか、または、
前記ＵＣＩフィードバックビット数集合内のＮ個のエレメントはサブフレーム数のＮ個の値であり、各々サブフレーム数の値は、１ＵＣＩフィードバックビット数の値に対応するか、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応するか、または、
前記ＵＣＩフィードバックビット数集合内のＮ個のエレメントはＮ個のキャリア集合であり、各々キャリア集合は、１ＵＣＩフィードバックビット数の値に対応するか、または、
前記ＵＣＩフィードバックビット数集合内のＮ個のエレメントはＮ個のサブフレーム集合であり、各々サブフレーム集合は、１ＵＣＩフィードバックビット数の値に対応するか、または、
前記ＵＣＩフィードバックビット数集合内のＮ個のエレメントは、キャリア集合及びサブフレーム集合のＮ個の組み合わせであり、各々組み合わせは、１ＵＣＩフィードバックビット数の値に対応することを特徴とする請求項２５に記載のＵＥ。
【請求項２７】
前記ＵＣＩフィードバックビット数集合は、予め定義されるか、または、高位層シグナリングにより設定されたものであり、
及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項２５に記載のＵＥ。
【請求項２８】
前記Ｍ個のＵＣＩフィードバックビット数の区間は、予め設定されるか、または、高位層シグナリングにより設定され、
及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項２５に記載のＵＥ。
【請求項２９】
前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられることを特徴とする請求項２５に記載のＵＥ。
【請求項３０】
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられることを特徴とする請求項２５に記載のＵＥ。
【請求項３１】
前記決定モジュールが、検出されたＤＣＩ長に基づき、前記ＤＣＩ長さに対応するＰＵＣＣＨフォーマットを用いると決定する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項２５に記載のＵＥ。
【請求項３２】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項２３ないし請求項３１のいずれかに記載のＵＥ。
【請求項３３】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、及び/または、
前記伝送モジュールは、決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項２３ないし請求項３１のいずれかに記載のＵＥ。
【請求項３４】
物理アップリンク制御チャネル（ＰＵＣＣＨ）のフォーマット及び/または用いられる直交シーケンスの情報を通知するため、ダウンリンク制御情報ＤＣＩを送信するプロセッサと、
前記ＤＣＩに対応するＰＵＣＣＨのフォーマット及び/または用いられる直交シーケンスの情報に基づき、前記ＰＵＣＣＨに搭載されたアップリンク制御情報を受信するプロセッサとを備えることを特徴とする基地局。
【請求項３５】
前記ＤＣＩに第１指示フィールドが含まれ、前記基地局は、ＰＵＣＣＨのフォーマット及び/または用いられる直交シーケンスの情報を決定し、ＰＵＣＣＨのフォーマット及び/または用いられる直交シーケンスの情報を示す指示情報を、前記ＤＣＩ内の第１指示フィールドに搭載させてＵＥに送信し、こうして、前記ＵＥに、ＤＣＩ内の第１指示フィールドにより、前記第１指示フィールドにより指示されたＰＵＣＣＨのフォーマット及び/または用いられる直交シーケンスの情報を取得させるようにし、または、
前記ＤＣＩに第２指示フィールドが含まれ、前記基地局は、現行サブフレーム内のアップリンク制御情報ＵＣＩフィードバックビット数を決定するための指示情報を、前記ＤＣＩ内の第２指示フィールドに搭載させて、ＵＥに送信し、こうして、前記ＵＥに、ＤＣＩ内の第２指示フィールドにより、現行サブフレーム内のアップリンク制御情報ＵＣＩフィードバックビット数を決定し、かつ、現行サブフレーム内のＵＣＩフィードバックビット数に基づいて、ＰＵＣＣＨのフォーマット及び/または用いられる直交シーケンスの情報を決定させるようにし、または、
前記基地局は、ＰＵＣＣＨのフォーマット及び/または用いられる直交シーケンスの情報を決定し、決定されたＰＵＣＣＨのフォーマット及び/または用いられる直交シーケンスの情報に対応するＤＣＩを選択してＵＥに送信し、こうして、前記ＵＥに、ＤＣＩ長さに基づいて、ＰＵＣＣＨのフォーマット及び/または用いられる直交シーケンスの情報を決定させるようにすることを特徴とする請求項３４に記載の基地局。
【請求項３６】
前記ＤＣＩ内の第２指示フィールドは以下のことに用いられ：前記ＵＥは、前記現行サブフレーム内のＵＣＩフィードバックビット数及びＵＣＩフィードバックビット数とＰＵＣＣＨフォーマット及び/または用いられる直交シーケンスの情報の間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含む。各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であり、または、
前記ＤＣＩ内の第２指示フィールドは、以下のことに用いられ：前記ＵＥは、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、または、
ＤＣＩ長さは、ＰＵＣＣＨフォーマットに対応し、ここで、異なるＤＣＩ長さに対応するＰＵＣＣＨのフォーマットそれぞれは、異なり、または、
ＤＣＩ長さは、直交シーケンスの情報に対応し、ここで、異なるＤＣＩ長さに対応する直交シーケンスの情報それぞれは異なり、または、
ＤＣＩ長さは、ＰＵＣＣＨフォーマット及び直交シーケンスの情報に対応し、ここで、異なるＤＣＩ長さに対応するＰＵＣＣＨのフォーマットと用いられる直交シーケンスの組み合わせそれぞれは、異なり、または、
タイプ１のＤＣＩに対応するＰＵＣＣＨフォーマットは、拡散伝送をサポートしないか、または、固定長さの直交シーケンス拡散伝送のみをサポートし、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項３５に記載の基地局。
【請求項３７】
前記ＵＣＩフィードバックビット数集合内のＮ個のエレメントは、ＵＣＩフィードバックビット数のＮ個の値であり、または、
前記ＵＣＩフィードバックビット数集合内のＮ個のエレメントはキャリア数のＮ個の値であり、各々キャリア数の値は、１ＵＣＩフィードバックビット数の値に対応し、または、
前記ＵＣＩフィードバックビット数集合内のＮ個のエレメントはサブフレーム数のＮ個の値であり、各々サブフレーム数の値は、１ＵＣＩフィードバックビット数の値に対応し、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応し、または、
前記ＵＣＩフィードバックビット数集合内のＮ個のエレメントはＮ個のキャリア集合であり、各々キャリア集合は、１ＵＣＩフィードバックビット数の値に対応し、または、
前記ＵＣＩフィードバックビット数集合内のＮ個のエレメントはＮ個のサブフレーム集合であり、各々サブフレーム集合は、１ＵＣＩフィードバックビット数の値に対応し、または、
前記ＵＣＩフィードバックビット数集合内のＮ個のエレメントは、キャリア集合及びサブフレーム集合のＮ個の組み合わせである各々組み合わせは、１ＵＣＩフィードバックビット数の値に対応することを特徴とする請求項３６に記載の基地局。
【請求項３８】
前記ＵＣＩフィードバックビット数集合は、予め定義されるか、または、高位層シグナリングにより設定されたものであり、
及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項３６に記載の基地局。
【請求項３９】
前記Ｍ個のＵＣＩフィードバックビット数の区間は、予め設定されるか、または、高位層シグナリングにより設定され、
及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項３６に記載の基地局。
【請求項４０】
前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられることを特徴とする請求項３６に記載の基地局。
【請求項４１】
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、
及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられることを特徴とする請求項３６に記載の基地局。
【請求項４２】
ＤＣＩ長さは、ＰＵＣＣＨフォーマットに対応する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項３６に記載の基地局。
【請求項４３】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項３４ないし請求項４２のいずれかに記載の基地局。
【請求項４４】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、
及び/または、
決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項３４ないし請求項４２のいずれかに記載の基地局。
【請求項４５】
メモリに格納されたプログラムを読み出して、ＤＣＩに基づき、ＰＵＣＣＨのフォーマット及び/または用いられる直交シーケンスの情報を決定し、こうして、前記ＵＥに、ＰＵＣＣＨのフォーマット及び/または用いられる直交シーケンスの情報に基づき、前記ＰＵＣＣＨに搭載されたアップリンク制御情報を伝送させるようにするプロセッサと、
プロセッサの制御により、データを送受信する送受信機とを備えることを特徴とするＵＥ。
【請求項４６】
前記プロセッサは、 
ＤＣＩ内の第１指示フィールドに基づき、前記第１指示フィールドにより指示されたＰＵＣＣＨのフォーマット及び/または用いられる直交シーケンスの情報を取得し、または、
ＤＣＩ内の第２指示フィールドに基づき、現行サブフレーム内のアップリンク制御情報ＵＣＩフィードバックビット数を決定し、現行サブフレーム内のＵＣＩフィードバックビット数に基づいて、ＰＵＣＣＨのフォーマット及び/または用いられる直交シーケンスの情報を決定し、または、
ＤＣＩ長に基づき、ＰＵＣＣＨのフォーマット及び/または用いられる直交シーケンスの情報を決定することを特徴とする請求項４５に記載のＵＥ。
【請求項４７】
前記プロセッサは、
前記現行サブフレーム内のＵＣＩフィードバックビット数、及びＵＣＩフィードバックビット数とＰＵＣＣＨフォーマット及び/または用いられる直交シーケンスの情報との間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含む。各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であり、または、
現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、または、
検出されたＤＣＩ長に基づき、前記ＤＣＩ長さに対応するＰＵＣＣＨフォーマットを用いると決定し、ここで、異なるＤＣＩ長さに対応するＰＵＣＣＨのフォーマットそれぞれは、異なり、または、
検出されたＤＣＩ長に基づき、前記ＤＣＩ長さに対応する直交シーケンスの情報を用いると決定し、ここで、異なるＤＣＩ長さに対応する直交シーケンスの情報それぞれは異なり、または、
検出されたＤＣＩ長に基づき、前記ＤＣＩ長さに対応するＰＵＣＣＨフォーマット及び直交シーケンスの情報を用いると決定し、ここで、異なるＤＣＩ長さに対応するＰＵＣＣＨのフォーマットと用いられる直交シーケンスの組み合わせそれぞれは、異なり、または、
前記ＵＥにより検出されＤＣＩがタイプ１のＤＣＩであれば、タイプ１のＤＣＩに対応するＰＵＣＣＨのフォーマット及び/または用いられる直交シーケンスの情報を決定し、タイプ１のＤＣＩに対応するＰＵＣＣＨフォーマットは、拡散伝送をサポートしないか、または、固定長さの直交シーケンス拡散伝送のみをサポートし、前記ＵＥにより検出されＤＣＩがタイプ２のＤＣＩであれば、タイプ２のＤＣＩに対応するＰＵＣＣＨのフォーマット及び/または用いられる直交シーケンスの情報を決定し、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項４５に記載のＵＥ。
【請求項４８】
前記ＵＣＩフィードバックビット数集合内のＮ個のエレメントは、ＵＣＩフィードバックビット数のＮ個の値であり、または、
前記ＵＣＩフィードバックビット数集合内のＮ個のエレメントはキャリア数のＮ個の値であり、各々キャリア数の値は、１ＵＣＩフィードバックビット数の値に対応し、または、
前記ＵＣＩフィードバックビット数集合内のＮ個のエレメントはサブフレーム数のＮ個の値であり、各々サブフレーム数の値は、１ＵＣＩフィードバックビット数の値に対応し、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応し、または、
前記ＵＣＩフィードバックビット数集合内のＮ個のエレメントはＮ個のキャリア集合であり、各々キャリア集合は、１ＵＣＩフィードバックビット数の値に対応し、または、
前記ＵＣＩフィードバックビット数集合内のＮ個のエレメントはＮ個のサブフレーム集合であり、各々サブフレーム集合は、１ＵＣＩフィードバックビット数の値に対応し、または、
前記ＵＣＩフィードバックビット数集合内のＮ個のエレメントは、キャリア集合及びサブフレーム集合のＮ個の組み合わせであり、各々組み合わせは、１ＵＣＩフィードバックビット数の値に対応することを特徴とする請求項４７に記載のＵＥ。
【請求項４９】
前記ＵＣＩフィードバックビット数集合は、予め定義されるか、または、高位層シグナリングにより設定されたものであり、
及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項４７に記載のＵＥ。
【請求項５０】
前記Ｍ個のＵＣＩフィードバックビット数の区間は、予め設定されるか、または、高位層シグナリングにより設定され、
及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項４７に記載のＵＥ。
【請求項５１】
前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられることを特徴とする請求項４７に記載のＵＥ。
【請求項５２】
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられることを特徴とする請求項４７に記載のＵＥ。
【請求項５３】
前記プロセッサ検出されたＤＣＩ長に基づき、前記ＤＣＩ長さに対応するＰＵＣＣＨフォーマットを用いると決定する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項４７に記載のＵＥ。
【請求項５４】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項４５ないし請求項５３のいずれかに記載のＵＥ。
【請求項５５】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、及び/または、
前記プロセッサは、決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項４５ないし請求項５３のいずれかに記載のＵＥ。
【請求項５６】
メモリに格納されたプログラムを読み出して、ＰＵＣＣＨのフォーマット及び/または用いられる直交シーケンスの情報を通知するため、ＤＣＩを送信し、前記ＤＣＩに対応するＰＵＣＣＨのフォーマット及び/または用いられる直交シーケンスの情報に基づき、前記ＰＵＣＣＨに搭載されたアップリンク制御情報を受信するプロセッサと、
プロセッサの制御により、データを送受信する送受信機とを備えることを特徴とする基地局。
【請求項５７】
前記ＤＣＩに第１指示フィールドが含まれ、前記基地局は、ＰＵＣＣＨのフォーマット及び/または用いられる直交シーケンスの情報を決定し、ＰＵＣＣＨのフォーマット及び/または用いられる直交シーケンスの情報を示す指示情報を、前記ＤＣＩ内の第１指示フィールドに搭載させてＵＥに送信し、こうして、前記ＵＥに、ＤＣＩ内の第１指示フィールドにより、前記第１指示フィールドにより指示されたＰＵＣＣＨのフォーマット及び/または用いられる直交シーケンスの情報を取得させるようにし、
または、
前記ＤＣＩに第２指示フィールドが含まれ、前記基地局は、現行サブフレーム内のアップリンク制御情報ＵＣＩフィードバックビット数を決定するための指示情報を、前記ＤＣＩ内の第２指示フィールドに搭載させて、ＵＥに送信し、こうして、前記ＵＥに、ＤＣＩ内の第２指示フィールドにより、現行サブフレーム内のアップリンク制御情報ＵＣＩフィードバックビット数を決定し、かつ、現行サブフレーム内のＵＣＩフィードバックビット数に基づいて、ＰＵＣＣＨのフォーマット及び/または用いられる直交シーケンスの情報を決定させるようにし、または、
前記基地局は、ＰＵＣＣＨのフォーマット及び/または用いられる直交シーケンスの情報を決定し、決定されたＰＵＣＣＨのフォーマット及び/または用いられる直交シーケンスの情報に対応するＤＣＩを選択してＵＥに送信し、こうして、前記ＵＥに、ＤＣＩ長さに基づいて、ＰＵＣＣＨのフォーマット及び/または用いられる直交シーケンスの情報を決定させるようにすることを特徴とする請求項５６に記載の基地局。
【請求項５８】
前記ＤＣＩ内の第２指示フィールドは以下のことに用いられ：前記ＵＥは、前記現行サブフレーム内のＵＣＩフィードバックビット数及びＵＣＩフィードバックビット数とＰＵＣＣＨフォーマット及び/または用いられる直交シーケンスの情報の間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含み、各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であり、または、
前記ＤＣＩ内の第２指示フィールドは、以下のことに用いられ：前記ＵＥは、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、または、
ＤＣＩ長さは、ＰＵＣＣＨフォーマットに対応し、ここで、異なるＤＣＩ長さに対応するＰＵＣＣＨのフォーマットそれぞれは、異なり、または、
ＤＣＩ長さは、直交シーケンスの情報に対応し、ここで、異なるＤＣＩ長さに対応する直交シーケンスの情報それぞれは異なり、または、
ＤＣＩ長さは、ＰＵＣＣＨフォーマット及び直交シーケンスの情報に対応し、ここで、異なるＤＣＩ長さに対応するＰＵＣＣＨのフォーマットと用いられる直交シーケンスの組み合わせそれぞれは、異なり、または、
タイプ１のＤＣＩに対応するＰＵＣＣＨフォーマットは、拡散伝送をサポートしないか、または、固定長さの直交シーケンス拡散伝送のみをサポートし、タイプ２のＤＣＩに対応するＰＵＣＣＨフォーマットは、複数の直交シーケンスの情報に対応しｂここで、タイプ１のＤＣＩ及びタイプ２のＤＣＩ長は、異なることを特徴とする請求項５７に記載の基地局。
【請求項５９】
前記ＵＣＩフィードバックビット数集合内のＮ個のエレメントは、ＵＣＩフィードバックビット数のＮ個の値であり、または、
前記ＵＣＩフィードバックビット数集合内のＮ個のエレメントはキャリア数のＮ個の値であり、各々キャリア数の値は、１ＵＣＩフィードバックビット数の値に対応し、または、
前記ＵＣＩフィードバックビット数集合内のＮ個のエレメントはサブフレーム数のＮ個の値であり、各々サブフレーム数の値は、１ＵＣＩフィードバックビット数の値に対応し、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応し、または、
前記ＵＣＩフィードバックビット数集合内のＮ個のエレメントはＮ個のキャリア集合であり、各々キャリア集合は、１ＵＣＩフィードバックビット数の値に対応するか、または、
前記ＵＣＩフィードバックビット数集合内のＮ個のエレメントはＮ個のサブフレーム集合であり、各々サブフレーム集合は、１ＵＣＩフィードバックビット数の値に対応するか、または、
前記ＵＣＩフィードバックビット数集合内のＮ個のエレメントは、キャリア集合及びサブフレーム集合のＮ個の組み合わせであり、各々組み合わせは、１ＵＣＩフィードバックビット数の値に対応することを特徴とする請求項５８に記載の基地局。
【請求項６０】
前記ＵＣＩフィードバックビット数集合は、予め定義されるか、または、高位層シグナリングにより設定されたものであり、及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項５８に記載の基地局。
【請求項６１】
前記Ｍ個のＵＣＩフィードバックビット数の区間は、予め設定されるか、または、高位層シグナリングにより設定され、及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項５８に記載の基地局。
【請求項６２】
前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられることを特徴とする請求項５８に記載の基地局。
【請求項６３】
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、
及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられることを特徴とする請求項５８に記載の基地局。
【請求項６４】
ＤＣＩ長さがＰＵＣＣＨフォーマットに対応する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項５８に記載の基地局。
【請求項６５】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項５６ないし請求項６４のいずれかに記載の基地局。
【請求項６６】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、
及び/または、
決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項５６ないし請求項６４のいずれかに記載の基地局。
【発明の詳細な説明】
【技術分野】
【０００１】
本出願は、２０１５年９月２５日に中国特許局に提出し、出願番号が２０１５１０６２４６３５．３であり、発明名称が「ＰＵＣＣＨをベースとするアップリンク制御情報の伝送方法及び装」との中国特許出願を基礎とする優先権を主張し、その開示の総てをここに取り込む。
【０００２】
本発明は無線通信技術分野に関し、特に、ＰＵＣＣＨをベースとするアップリンク制御情報の伝送方法及び装置に関する。
【背景技術】
【０００３】
ＬＴＥ−Ａ（Ｌｏｎｇ Ｔｅｒｍ Ｅｖｏｌｕｔｉｏｎ−Ａｄｖａｎｃｅｄ） Ｒｅｌｅａｓｅ（リリース、Ｒｅｌと略称）-１０ ＣＡ（Ｃａｒｒｉｅｒ Ａｇｇｒｅｇａｔｉｏｎ、キャリアアグリゲーション）システムは、最大５キャリアのアグリゲーションをサポートし、また、ＰＵＣＣＨ ｆｏｒｍａｔ３（ＰＵＣＣＨはＰｈｙｓｉｃａｌ Ｕｐｌｉｎｋ Ｃｏｎｔｒｏｌ Ｃｈａｎｎｅｌの英文略称であり、物理アップリンク制御チャネル）を定義して、最大２２ビットのアップリンク制御情報（ＵＣＩ、Ｕｐｌｉｎｋ Ｃｏｎｔｒｏｌ Ｉｎｆｏｒｍａｔｉｏｎ）を搭載して伝送することができる。その後のＬＴＥ−Ａ リリースのＣＡシステムは、最大３２キャリアアグリゲーションをサポートし、かつ、キャパシティがより大きいＰＵＣＣＨ（Ｐｈｙｓｉｃａ１ Ｕｐ１ｉｎｋ Ｃｏｎｔｒｏ１ Ｃｈａｎｎｅ１）新フォーマットを定義して、より多いのアップリンク制御情報を搭載（Ｃａｒｒｙ）して伝送する。
【０００４】
システムには、多様な伝送構成のＰＵＣＣＨが導入される場合、どのようにＰＵＣＣＨの伝送構成を選択してアップリンク制御情報を伝送するのかは、まだ案出されていない。
【発明の概要】
【発明が解決しようとする課題】
【０００５】
本発明に係る実施例は、ＰＵＣＣＨをベースとするアップリンク制御情報の伝送方法及び装置を提供し、どのようにＰＵＣＣＨの伝送構成を選択してアップリンク制御情報を伝送するのかを実現する。
【課題を解決するための手段】
【０００６】
本発明の実施例に係るＰＵＣＣＨをベースとするアップリンク制御情報の伝送方法は、
ＵＥ（ｕｓｅｒ ｅｑｕｉｐｍｅｎｔ）は、ＤＣＩに基づき、ＰＵＣＣＨのフォーマット及び/または用いられる直交シーケンスの情報を決定するステップと、
前記ＵＥは、ＰＵＣＣＨのフォーマット及び/または用いられる直交シーケンスの情報に基づき、前記ＰＵＣＣＨに搭載されたアップリンク制御情報を伝送するステップとを備える。
【０００７】
本発明の実施例に係る他のＰＵＣＣＨをベースとするアップリンク制御情報の伝送方法は、
基地局は、ＰＵＣＣＨのフォーマット及び/または用いられる直交シーケンスの情報を通知するため、ＤＣＩを送信するステップと、
前記基地局は、前記ＤＣＩに対応するＰＵＣＣＨのフォーマット及び/または用いられる直交シーケンスの情報に基づき、前記ＰＵＣＣＨに搭載されたアップリンク制御情報を受信するステップとを備える。
【０００８】
本発明の実施例に係るＵＥは、
ＤＣＩに基づき、ＰＵＣＣＨのフォーマット及び/または用いられる直交シーケンスの情報を決定する決定モジュールと、
ＰＵＣＣＨのフォーマット及び/または用いられる直交シーケンスの情報に基づき、前記ＰＵＣＣＨに搭載されたアップリンク制御情報を伝送する伝送モジュールとを備える。
【０００９】
本発明の実施例に係る基地局は、
ＰＵＣＣＨのフォーマット及び/または用いられる直交シーケンスの情報を通知するため、ＤＣＩを送信するプロセッサを備え、
前記プロセッサは、前記ＤＣＩに対応するＰＵＣＣＨのフォーマット及び/または用いられる直交シーケンスの情報に基づき、前記ＰＵＣＣＨに搭載されたアップリンク制御情報を受信する。
【発明の効果】
【００１０】
本発明の上述の実施例によれば、ＵＥは、ＤＣＩに基づき、ＰＵＣＣＨのフォーマット及び/または用いられる直交シーケンスの情報を決定し、かつ決定されたＰＵＣＣＨのフォーマット及び/または用いられる直交シーケンスの情報に基づき、前記ＰＵＣＣＨに搭載されたアップリンク制御情報を伝送する。こうして、ＤＣＩに基づいてＰＵＣＣＨの伝送構成を選択し、かつ選択されたＰＵＣＣＨ伝送構成に基づき、アップリンク制御情報を伝送することを実現する。
【図面の簡単な説明】
【００１１】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】それぞれは従来技術の搭載さらたアアグリゲーションさらたキャリが５つを超えたフィードバック情報の新ＰＵＣＣＨフォーマットを示す図である。
【図２】それぞれは従来技術の搭載さらたアアグリゲーションさらたキャリが５つを超えたフィードバック情報の新ＰＵＣＣＨフォーマットを示す図である。
【図３】本発明の実施例に係る、ＵＥ側において実施するＰＵＣＣＨ伝送のフローチャートである。
【図４】本発明に係る実施例において、ＤＡＩに基づいてＵＣＩフィードバックビット数を決定することを示す図である。
【図５】本発明に係る実施例における異なる直交シーケンス長のＰＵＣＣＨのリソースの割り当てを示す図である。
【図６】本発明の実施例に係る、基地局側において実施するＰＵＣＣＨ伝送のフローチャートである。
【図７】本発明に係るＵＥの構成図である。
【図８】本発明の他の実施例に係るＵＥの構成図である。
【図９】本発明の実施例に係る基地局の構成図である。
【図１０】本発明の他の実施例に係る基地局の構成図である。
【発明を実施するための形態】
【００１２】
背景技術において説明したように、以前のリリースにおいて定義したＡＣＫ/ＮＡＣＫを伝送するＰＵＣＣＨフォーマット（ｆｏｒｍａｔ）は、より多いＡＣＫ/ＮＡＣＫフィードバックビットを伝送するニーズに応じられなくなったため、キャパシティがより大きいＰＵＣＣＨ新フォーマットが現れた。例えば、図１に示す物理アップリンク共有チャネル（ＰＵＳＣＨ、ＰｈｙｓｉＣＡｌ Ｕｐｌｉｎｋ Ｓｈａｒｅｄ ＣＨａｎｎｅｌ）構成をベースとする新ＰＵＣＣＨフォーマット、または、図２に示すＰＵＣＣＨ ｆｏｒｍａｔ３結果をベースとする新ＰＵＣＣＨフォーマット。図１及び図２に示すＰＵＣＣＨフォーマットは、１スロット内のパイロットシンボル数が異なる。
【００１３】
図１及び図２において、Ｄｉは、ｉ番目のシンボルシーケンスを示し、ＰＵＣＣＨ新フォーマットが周波数ドメインにおいて、１個のみのＰＲＢにより伝送される場合、Ｄｉごとに１２個のシンボルが含まれ、それぞれ１つのシングルキャリア周波数分割多元接続（Ｓｉｎｇｌｅ Ｃａｒｒｉｅｒ−Ｆｒｅｑｕｅｎｃｙ Ｄｉｖｉｓｉｏｎ Ｍｕｌｔｉｐｌｅ Ａｃｃｅｓｓ，ＳＣ−ＦＤＭＡ）シンボル内の１２個のサブキャリアにマッピングされる。１個のみのＰＲＢを占有してＰＵＣＣＨを伝送することを前提とし、ノーマルサイクリック・プレフィックス（Ｃｙｃｌｉｃ Ｐｒｅｆｉｘ，ＣＰ）の場合、１スロットにパイロットのためのシンボルがただ１つのみがあり、また、ＱＰＳＫ（Ｑｕａｄｒａｔｕｒｅ Ｐｈａｓｅ−Ｓｈｉｆｔ Ｋｅｙｉｎｇ）変調スキームを採用すると仮定する場合、当該ＰＵＣＣＨ新フォーマットは、２８８ビットエンコードされた情報を搭載（ｃａｒｒｙ）することができ、即ち、ち、１４４個の変調シンボルを搭載することができる。ＰＵＣＣＨ ｆｏｒｍａｔ３構成をベースとするｎｅｗ ＰＵＣＣＨ ｆｏｒｍａｔは、２４０ビットのエンコードされた情報を搭載することができ、即ち、ち、１２０個の変調シンボルをとう搭載することができる。
【００１４】
ユーザー装置がいつも３２個のキャリアをアグリゲーションするわけではなく、また、ユーザー装置に用いられたシングル伝送ブロック（Ｔｒａｎｓｐｏｒｔ Ｂｌｏｃｋ，ＴＢ）またはマルチＴＢ伝送モードが変化する可能性もあり、さらに、ユーザー装置において実際にスケジューリングするキャリア数はいつも設定されたキャリア数より小さいか等しくで、ユーザー装置は、異なる設定状況及び異なるサブフレームにおけるＡＣＫ/ＮＡＣＫフィードバックビット数は、相違する。ＰＵＣＣＨ新フォーマットがマルチキャリア周期チャネル状態情報（Ｃｈａｎｎｅｌ Ｓｔａｔｅ Ｉｎｆｏｒｍａｔｉｏｎ，ＣＳＩ）の伝送に用いられる場合、ＣＳＩは、クティブキャリアのみに対してフィードバックし、アクティブキャリア数が一定の時間後に変更し、また、周期ＣＳＩの報告モードの相違により、そのフィードバックビット数も異なる。よって、異なる設定状況及び異なるサブフレームにおける周期ＣＳＩビット数も異なる。ＡＣＫ/ＮＡＣＫ及び周期ＣＳＩがともにＰＵＣＣＨ新フォーマットで伝送することをサポートする場合、周期ＣＳＩがサブフレームごとに存在するわけではなく、また、アクティブキャリア数及び周期ＣＳＩの報告モードに応じて周期ＣＳＩフィードバックビット数も異なるため、異なる設定状況及び異なるサブフレームにおけるＵＣＩビット総数も異なる。上述の状況において、いつも２８８個のコードビットで伝送され、異なるＡＣＫ/ＮＡＣＫフィードバックビット数または異なるＵＣＩフィードバックビット数の場合、コードレートが異なり、コードレートに大きい冗長がある。例えば、１４４ビットＵＣＩ（ＡＣＫ/ＮＡＣＫまたは周期ＣＳＩまたはＡＣＫ/ＮＡＣＫと周期ＣＳＩのビット総数）の場合、コードレートが１/２であり、９６ビットＵＣＩの場合、コードレートが１/３であり、７２ビットＵＣＩの場合コードレートが１/４である。コードレートが小さい場合、伝送性能を超えたため、コード冗長伝送が発生され、伝送効率が低減される。よって、新ＰＵＣＣＨフォーマットに対し、異なる長さのの直交シーケンスを定義し、伝送ビット数が少ない場合、直交拡散シーケンスを用いることで、複数のユーザーが同一のＰＲＢにおいて伝送することをサポートし、また、コードレートを向上して、伝送効率及びシステムリソース利用率を向上する。
【００１５】
目下、５個のキャリアアグリゲーションを超える場合のマルチビットＡＣＫ/ＮＡＣＫフィードバックをどのようにサポートするのかは、まだ案出されていない。システムに多様なＰＵＣＣＨ伝送構成が導入される場合、これらのＰＵＣＣＨ伝送構成の間に、状況に応じて動的に選択することによりより適合なＰＵＣＣＨ伝送案を選定する案は、まだ案出されていない。
【００１６】
上述のように考慮すると、本発明に係る実施例は、ＰＵＣＣＨをベースとするアップリンク制御情報の伝送案を提供し、ＤＣＩ（例えば、ＰＵＣＣＨのフォーマット及び/または用いられる直交シーケンス情報）によりＰＵＣＣＨの伝送構成を決定することができる。こうして、決定されたＰＵＣＣＨ伝送構成にもとづいて、ＰＵＣＣＨに搭載されたアップリンク制御情報を伝送することができる。
【００１７】
以下、まずは、本発明に係る実施例のＰＵＣＣＨに用いられる直交シーケンス及びＰＵＣＣＨのフォーマットを説明する。
【００１８】
2018530241.tif 000003
2018530241.tif 000004
【００１９】
2018530241.tif 000005
【００２０】
（二）ＰＵＣＣＨのフォーマット
ＰＵＣＣＨのフォーマットは、ＰＵＣＣＨフォーマット２（ＰＵＣＣＨ ｆｏｒｍａｔ２）、ＰＵＣＣＨフォーマット３（ＰＵＣＣＨ ｆｏｒｍａｔ３）及び新ＰＵＣＣＨフォーマット（ｎｅｗ ＰＵＣＣＨ ｆｏｒｍａｔ）のうちの１つまたは複数を含む。ここで、新ＰＵＣＣＨフォーマットは、アアグリゲーションさらたキャリが５つを超えたフィードバック情報を搭載するＰＵＣＣＨフォーマットに定義することができる。例えば、前に説明したＰＵＳＣＨ構成（図１を参照）をベースとするまたはＰＵＣＣＨ ｆｏｒｍａｔ３構成をベースとして定義された新フォーマット（図２を参照）。
【００２１】
以下、図面を参照して本発明に係る実施例を詳細に説明する。
【００２２】
以下の実施例において、ＤＣＩ内の指示フィールド（ｉｎｄｉｃａｔｉｏｎ ｆｉｅｌｄ）は、第１指示フィールド、第２指示フィールドなどと類似する表現を利用し、ＤＣＩ内の指示フィールドを区別するためのみであり、特に意味がないことを、ここで説明する。
【００２３】
図３は本発明の実施例に係るＰＵＣＣＨをベースとするアップリンク制御情報の伝送フローチャートであり、当該フローーチャートはＵＥ側において実施することができる。
【００２４】
図３に示すように、当該フローーチャートは下記のステップ３０１と、ステップ３０２とを備える。
【００２５】
ステップ３０１において、ＵＥはＤＣＩ（Ｄｏｗｎｌｉｎｋ Ｃｏｎｔｒｏｌ Ｉｎｆｏｒｍａｔｉｏｎ、ダウンリンク制御情報）により、ＰＵＣＣＨのフォーマット及び/または用いられる直交シーケンスの情報を決定する。
【００２６】
ここで、前記直交シーケンスの情報は、直交シーケンスの長さ及び番号のうちの１つまたは複数を含む。各々直交シーケンスの長さに対応する直交シーケンス集合は予め定義される。
【００２７】
ステップ３０２において、ＵＥは、ＰＵＣＣＨのフォーマット及び/または用いられる直交シーケンスの情報に基づき、前記ＰＵＣＣＨに搭載されたアップリンク制御情報を伝送する。
【００２８】
ここで、ＰＵＣＣＨに用いられる直交シーケンスは、当該ＰＵＣＣＨに搭載されたアップリンク制御情報を周波数ドメイン及び/または時間ドメインにおいて拡散することに用いられる。
【００２９】
上記フローチャートにおいて、ステップ３０１において決定されたＰＵＣＣＨのフォーマットがＰＵＣＣＨ フォーマット３であれば、ステップ３０２において、新ＰＵＣＣＨフォーマットに対応するＵＣＩフィードバックビット数に従って伝送されることができる。具体的に、選択されたＰＵＣＣＨフォーマットがＰＵＣＣＨ ｆｏｒｍａｔ３である場合、ＰＵＣＣＨ ｆｏｒｍａｔ３は、ＡＣＫ/ＮＡＣＫフィードバック情報を生成するとき、ｎｅｗ ＰＵＣＣＨ ｆｏｒｍａｔによりＡＣＫ/ＮＡＣＫ フィードバック情報を生成する方法出生成する。例えば、ＤＡＩ（Ｄｏｗｎｌｉｎｋ Ａｓｓｉｇｎｍｅｎｔ Ｉｎｄｅｘ、時間ドメインダウンリンク割り当てインデックス）内の対応の時間/周波数ドメインカウンタ及びＡＣＫ/ＮＡＣＫビット総数指示情報により、ＡＣＫ/ＮＡＣＫ フィードバック情報を生成し、当該ＡＣＫ/ＮＡＣＫフィードバック情報のサイズは、異なるスケジューリング状況に応じて動的に変更される。
【００３０】
よって、ＵＥは、ＤＣＩに基づき、ＰＵＣＣＨのフォーマット及び/または用いられる直交シーケンスの情報を決定し、かつ決定されたＰＵＣＣＨのフォーマット及び/または用いられる直交シーケンスの情報に基づき、前記ＰＵＣＣＨに搭載されたアップリンク制御情報を伝送する。こうしてＤＣＩに基づいてＰＵＣＣＨの伝送構成を動的に選択することができるようになり、選択されたＰＵＣＣＨ伝送構成に基づいてアップリンク制御情報を伝送する。
【００３１】
図３のフローチャート中のステップ３０１の具体的な実施スキムは多様であり、本発明に係る実施例は以下の幾つかの好ましい実施案を提供する。このような実施案は、概ねに、案１、案２及び案３に分けられ、以下、これらの好ましい実施案を詳しく説明する。
【００３２】
＜案１＞
ステップ３０１において、ＵＥは、ＤＣＩ内の第１指示フィールドに基づき、前記第１指示フィールドにより指示されたＰＵＣＣＨのフォーマット及び/または用いられる直交シーケンスの情報を取得する。
【００３３】
案１において、システムが複数の直交シーケンス長をサポートし、且つ、前記第１指示フィールドに直交シーケンスの指示情報が含まれない場合、直交シーケンス長は、ＰＵＣＣＨフォーマットにより、暗黙に取得することができる。例えば、各々ＰＵＣＣＨフォーマットが唯一のの長さである直交シーケンスに対応し、ＰＵＣＣＨフォーマットを決定すると、当該ＰＵＣＣＨフォーマット用いられる直交シーケンス長も決定される。または、ＤＣＩ内の指示フィールドにより、ＰＵＣＣＨフォーマットに対応する直交シーケンス情報を示すことができる。また、高位層シグナリングによりＰＵＣＣＨフォーマットに対応する直交シーケンス情報を予め設定することができる。
【００３４】
以下、具体的な実例を参照しながら、案１を説明する。
【００３５】
実例１：システムにはＰＵＣＣＨフォーマット３及び１新ＰＵＣＣＨフォーマットが定義されており、新ＰＵＣＣＨフォーマットには直交シーケンスを利用せず、このような場合、ＤＣＩにおいて１ビットの指示フィールドでＰＵＣＣＨフォーマット３または新ＰＵＣＣＨフォーマットを利用するように通知することができる。
【００３６】
実例２：システムにはＰＵＣＣＨフォーマット３及び２つの新ＰＵＣＣＨフォーマットが定義され、異なる新ＰＵＣＣＨフォーマットの伝送構成（例えばＲＳシンボル数、占有されたＰＲＢ数等）が異なり、かつ直交シーケンスを利用せず、この場合、ＤＣＩにおいて１ビットの指示フィールドで新ＰＵＣＣＨフォーマット１または新ＰＵＣＣＨフォーマット２を利用するように通知することができる。また、ＤＣＩにおいて２ビットの指示フィールドでＰＵＣＣＨフォーマット３、または新ＰＵＣＣＨフォーマット１、または新ＰＵＣＣＨフォーマット２を利用するように通知することができる。
【００３７】
実例３：システムにはＰＵＣＣＨフォーマット３が定義され、また、１新ＰＵＣＣＨフォーマットが定義され、当該新フォーマットにはＮ個の長さの直交シーケンスがもちいられる。
【００３８】
2018530241.tif 000006
【００３９】
2018530241.tif 000007
【００４０】
2018530241.tif 000008
【００４１】
2018530241.tif 000009
【００４２】
2018530241.tif 000010
【００４３】
2018530241.tif 000011
【００４４】
2018530241.tif 000012
【００４５】
2018530241.tif 000013
【００４６】
2018530241.tif 000014
【００４７】
案２
ステップ３０１において、ＵＥは、ＤＣＩ内の第２指示フィールドにより、現行サブフレーム内のＵＣＩフィードバックビット数を決定し、現行サブフレーム内のＵＣＩフィードバックビット数により、ＰＵＣＣＨのフォーマット及び/または用いられる直交シーケンスの情報を決定する。
【００４８】
案２において、予め定義されたまたは設定されたＵＣＩフィードバックビット数と、ＰＵＣＣＨのフォーマット及び/または用いられる直交シーケンスの指示情報の間の対応関係に、直交シーケンスの情報が含まれない場合、直交シーケンス長はＰＵＣＣＨフォーマットにより暗黙に得ることができ、例えば、各々ＰＵＣＣＨフォーマットが唯一長さの直交シーケンスに対応し、ＰＵＣＣＨフォーマットを決定すれば、当該ＰＵＣＣＨフォーマット用いられる直交シーケンス長が決定される。または、ＤＣＩ内の指示フィールドにより、ＰＵＣＣＨフォーマットに対応する直交シーケンス情報を示すことができる。高位層シグナリングによりＰＵＣＣＨフォーマットに対応する直交シーケンス情報を予め設定することができる。
【００４９】
具体的に、案２において、現行サブフレーム内のＵＣＩフィードバックビット数に基づいて、ＰＵＣＣＨのフォーマット及び/または用いられる直交シーケンスの情報を決定するには、多様な実施スキムがあり、以下、２つの好ましい実施スキム、即ち、決定スキム１及び決定スキム２を説明する。
【００５０】
（１）決定スキム１
案２の決定スキム１において、ＵＥは、現行サブフレーム内のＵＣＩフィードバックビット数（ｃｏｄｅｂｏｏｋ ｓｉｚｅ）、及びＵＣＩフィードバックビット数とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定する。ここで、ＤＣＩ内の第２指示フィールドに基づいて決定された現行サブフレーム内のＵＣＩフィードバックビット数は、ＵＣＩフィードバックビット数集合内の１エレメントに対応する。ＵＣＩフィードバックビット数集合にはＮ個のエレメントが含まれ、各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数である。
【００５１】
上記案２の決定スキム１を採用する場合、具体的な実施において、ＵＣＩフィードバックビット数集合、及びＵＣＩフィードバックビット数集合内の各々エレメント与ＰＵＣＣＨのフォーマット及び/または用いられる直交シーケンス情報の間の対応関係を予め定義することができる。基地局により送信されたＤＣＩ内の第２指示フィールドにより指示された現行サブフレーム内のＵＣＩフィードバックビット数は、ＵＣＩフィードバックビット数集合内の１エレメントに対応し、こうして、ＵＥは、受信したＤＣＩ内の第２指示フィールドに基づいて、ＰＵＣＣＨフォーマット及び/または用いられる直交シーケンスの情報を決定する。
【００５２】
好ましくは、ＵＣＩフィードバックビット数集合内のＮ個のエレメントは、以下幾つかの状況中の１つであることができる。
【００５３】
2018530241.tif 000015
【００５４】
ここで、ＵＣＩフィードバックビット数集合は、予め定義されてもよく、高位層シグナリングにより設定されてもよい。例えば、ＲＲＣ（Ｒａｄｉｏ Ｒｅｓｏｕｒｓｅ Ｃｏｎｔｒｏｌ、無線リソース制御）シグナリングにより設定される。ＰＵＣＣＨフォーマット及び/または用いられる直交シーケンスの情報と、ＵＣＩフィードバックビット数集合内のエレメントの間の対応関係は、予め定義されてもよく、高位層シグナリングにより設定されてもよい。
【００５５】
好ましくは、ＤＣＩ内の第２指示フィールドにスケジューリング状況指示情報がさらに搭載されており、当該スケジューリング状況指示情報は、ＤＡＩカウンタ、周波数ドメインＤＡＩカウンタ、時間ドメインスケジューリングデータパッケージ総数、及び周波数ドメインスケジューリングデータパッケージ総数のうちの１つ、または、複数のみ合わせを含む。これらの情報は、ＵＥが異なるキャリア及び/またはサブフレームのＡＣＫ/ＮＡＣＫフィードバック情報を正確に順番つけることに役立つ。
【００５６】
以下、幾つかの実例を挙げて、案２における決定スキム１を説明する。
【００５７】
2018530241.tif 000016
【００５８】
即ち、ＵＥ側において、Ｃiビットフィードバック情報に対応するダウンリンクデータを受信していなげれば、フィードバック情報シーケンスのテールにＮＡＣＫを生成して充填する。ここで、ＤＣＩには、時間ドメイン及び/または周波数ドメインにおけるカウンタ指示情報をされに含まれ、異なるサブフレーム及び/またはキャリアのＡＣＫ/ＮＡＣＫフィードバック情報を排列する。例えば、図４のＤＡＩ ｃｏｕｎｔｅｒ部分（即ち、第１部分のＤＡＩ）は、現行サブフレームにおいてスケジューリングするデータパッケージは、時間ドメイン及び周波数ドメインにおいてスケジューリングする何番目のデータパッケージを示す。また、システムは、ＵＣＩフィードバックビット数（または、キャリア及び/またはサブフレーム集合）とＰＵＣＣＨのフォーマット及び/または用いられる直交シーケンス情報の間の対応関係を予め定義するかまたは高位層シグナリングにより予め設定する。
【００５９】
実例１：システムは、ＰＵＣＣＨフォーマット３及び１種のみの新ＰＵＣＣＨフォーマット（拡散をサポートせず）が定義した場合、ＵＥは、フィードバック情報ビット数により、表１から、対応のＰＵＣＣＨフォーマットを得ることができる。
2018530241.tif 000017
【００６０】
実例２：システムは、ＰＵＣＣＨフォーマット３及び２種の新ＰＵＣＣＨフォーマット（拡散をサポートせず、異なるＲＳシンボル数を用いる）を定義した場合、ＵＥは、フィードバック情報ビット数により、表２-１から対応のＰＵＣＣＨフォーマットを得、または、表２-２から対応のＰＵＣＣＨフォーマットを得る。
【００６１】
2018530241.tif 000018
【００６２】
2018530241.tif 000019
【００６３】
2018530241.tif 000020
【００６４】
2018530241.tif 000021
【００６５】
2018530241.tif 000022
【００６６】
2018530241.tif 000023
【００６７】
2018530241.tif 000024
【００６８】
2018530241.tif 000025
【００６９】
実例５：システムは、ＰＵＣＣＨフォーマット３及びＡ種の新ＰＵＣＣＨフォーマットを定義し、ここで、異なる新ＰＵＣＣＨフォーマットに用いられる伝送構成及び/または直交シーケンス長が異なる場合、ＵＥは、フィードバック情報ビット数により、表５-１に示す対応関係から対応の新ＰＵＣＣＨフォーマット及び当該新フォーマット用いられる直交シーケンス情報を得、または、表５-２に示す対応関係から対応のＰＵＣＣＨフォーマット及び当該フォーマット用いられる直交シーケンス情報を得る。
【００７０】
2018530241.tif 000026
【００７１】
2018530241.tif 000027
【００７２】
フィードバックビット数が新ＰＵＣＣＨフォーマット及び直交シーケンス長の組み合わせの数を超える場合、１対１の関係を定義することができ、即ち、異なるフィードバックビット数が、同様な伝送案に対応する。
【００７３】
また、このような表につき、ＵＣＩフィードバックビット数が、新ＰＵＣＣＨフォーマット、直交シーケンス長及び直交シーケンス番号との対応関係をさらに定義することができ、こうして、直交シーケンス番号情報を決定することができ、例えば、表６に示す。または、直交シーケンス番号がＤＣＩ内の特定の指示フィールドを決定し、または、ＤＣＩにおいて直交シーケンス長及び直交シーケンス番号を共同に指示し、または、直交シーケンス番号は周波数ドメインリソースにより暗黙に決定され、詳しくは、実施例１と類似するため、その以上説明しない。
【００７４】
2018530241.tif 000028
【００７５】
（２）決定スキム２
案２の決定スキム２において、ＵＥは、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定する。ここで、ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数である。
【００７６】
ここで、前記Ｍ個のＵＣＩフィードバックビット数の区間は、予め定義されてもよく、高位層シグナリングにより設定されてもよい。ＰＵＣＣＨフォーマット及び/または用いられる直交シーケンスとＵＣＩフィードバックビット数の区間の間の対応関係は、予め定義されてもよく、高位層シグナリングにより設定されてもよい。
【００７７】
上記案２の決定スキム２を採用する場合、具体的な実施において、幾つかのＵＣＩフィードバックビット数の区間、及び各々ＵＣＩフィードバックビット数の区間とＰＵＣＣＨのフォーマット及び/または用いられる直交シーケンス情報の間の対応関係を予め設定するか、または、少なくとも１つのビット数閾値、及び当該ビット数閾値を超えた場合の対応のＰＵＣＣＨのフォーマット及び/または用いられる直交シーケンス情報、当該ビット数閾値を超えていない場合の対応のＰＵＣＣＨのフォーマット及び/または用いられる直交シーケンス情報を定義する。基地局により送信されたＤＣＩ内の第２指示フィールドにより指示された現行サブフレーム内のＵＣＩフィードバックビット数は、あるＵＣＩフィードバックビット数の区間の数値である。こうして、ＵＥは、受信したＤＣＩ内の第２指示フィールドにより指示されたＵＣＩフィードバックビット数がどちらのＵＣＩフィードバックビット数の区間の数値であるのかに基づいて、ＰＵＣＣＨフォーマット及び/または用いられる直交シーケンスの情報を決定する。
【００７８】
好ましくは、ＤＣＩ内の第２指示フィールドにスケジューリング状況指示情報が搭載され、当該スケジューリング状況指示情報は、ＤＡＩカウンタ、周波数ドメインＤＡＩカウンタ、時間ドメインスケジューリングデータパッケージ総数、周波数ドメインスケジューリングデータパッケージ総数、時間/周波数ドメインのスケジューリングデータパッケージ総数のうちの１つまたは複数の組み合わせを含む。これらの情区間。
【００７９】
以下の実例を挙げて、上述の案２の決定スキム２を説明する。
【００８０】
2018530241.tif 000029
【００８１】
ＤＣＩ内のＤＡＩ指示フィールドは、時間ドメイン及び/または周波数ドメインカウンタを示し、時間ドメイン及び/または周波数ドメインにおいてスケジューリングしたデータパッケージの数を累積し、また、スケジューリングしたデータパッケージ総数を示すこともでき、最後１つのデータパッケージの紛失により、基地局及びＵＥがＵＣＩフィードバックビット数に対する解読が一致しないことを防ぐ。ＵＥと基地局は、ＤＣＩ内のＤＡＩ設計により、ＵＣＩフィードバックビット数を取得する。ここで、ＵＣＩフィードバックビット数は、いずれのアップリンクフィードバックサブフレームにおいても異なり、アップリンクサブフレームに対応する、ＵＣＩフィードバックを行うダウンリンクキャリア及びダウンリンクサブフレームにおけるスケジューリングしたデータパッケージ数により決められる。図４に示すように、ＤＡＩの一部のビットフィールドは、時間ドメイン及び周波数ドメインにおいてスケジューリングしたデータパッケージの累積値を示し、他の一部は、基地局が設定されたキャリア、及び同一のアップリンクサブフレームに対応する、ＡＣＫ/ＮＡＣＫフィードバックを行うダウンリンクサブフレームにおいてスケジューリングしたデータパッケージ総数を示し、ＤＡＩに基づいて、２８ビットＵＣＩを生成したと確定して、当該ＵＣＩビット数が所在するＵＣＩフィードバックビット数の区間により、表を照合して対応の新ＰＵＣＣＨフォーマット及び/または直交シーケンス情報を得る。具体的な表の照合・取得方法は、実施例２と同様である。
【００８２】
実例２：閾値のビットを２２かまたは２３ビットと予め定義し、ＤＡＩ内の時間ドメイン及び/または周波数ドメイン指示フィールドにより、動的なＵＣＩフィードバックビット数を決定する。ＵＣＩフィードバックビット数が２２ビットを超える場合、新ＰＵＣＣＨフォーマットの採用を決定し、超えていない場合、ＰＵＣＣＨ ｆｏｒｍａｔ ３を採用する。または、ＵＣＩフィードバックビット数が２３ビットを超えない場合、ＰＵＣＣＨ ｆｏｒｍａｔ ３の採用を決定し、超える場合、新ＰＵＣＣＨフォーマットを採用する。ｎｅｗ ＰＵＣＣＨ ｆｏｒｍａｔを選択する場合、実に伝送するＡＣＫ/ＮＡＣＫフィードバック情報は、動的に決定されたＡＣＫ/ＮＡＣＫフィードバック情報であり、即ち、ＤＣＩ内の時間/周波数ドメインにおけるカウント情報、ビット総数指示情報等により決定されたＡＣＫ/ＮＡＣＫフィードバックビットのシーケンスである。ＰＵＣＣＨ ｆｏｒｍａｔ３を選択する場合、実に伝送するＡＣＫ/ＮＡＣＫフィードバック情報は、上記ｎｅｗ ｆｏｒｍａｔに対応する方法で動的に決定されたＡＣＫ/ＮＡＣＫフィードバック情報である。勿論、設定されたキャリア数及び/または現行アップリンクサブフレームに対応するダウンリンクサブフレーム数に基づいて生成されたフィードバック情報（各々キャリアの伝送モードをさらに含むことができる）であることもでき、２２ビットを超える可能性があるため、ｆｏｒｍａｔ３の搭載して伝送することができなくなる。
【００８３】
上記案２において、ＤＣＩ内の指示フィールドにより、ＡＣＫ/ＮＡＣＫフィードバック情報のビット数を動的に決定して、当該フィードバック情報ビット数がフィードバック情報ビット数集合またはフィードバック情報ビット数の区間との対応関係により、ＰＵＣＣＨフォーマット及び/または用いられる直交シーケンスの情報を決定する。他の１実施例として、ＰＵＣＣＨフォーマットを決定する場合、固定のＡＣＫ/ＮＡＣＫフィードバックビット数（即ち、ＰＵＣＣＨ ｆｏｒｍａｔ３に採用されたＡＣＫ/ＮＡＣＫフィードバックビット数の決定方法で決定したフィードバックビット数）により、ＰＵＣＣＨ ｆｏｒｍａｔ３を採用するか、またはｎｅｗ ＰＵＣＣＨ ｆｏｒｍａｔを採用するかを決定する。当該固定のＡＣＫ/ＮＡＣＫフィードバックビット数は、設定されたキャリア数及び/または現行アップリンクサブフレームに対応するダウンリンクサブフレーム数により決定され（もちラ音各々キャリアの伝送モードをさらに含むこともできる）、判断用の閾値を２２または２３ビットと予めい設定する。即ち、上記固定のＡＣＫ/ＮＡＣＫフィードバックビット数が２２ビットを超える場合、ｎｅｗ ＰＵＣＣＨ ｆｏｒｍａｔを選択し、超えていない場合、ＰＵＣＣＨ ｆｏｒｍａｔ３を選択する。ｎｅｗ ＰＵＣＣＨ ｆｏｒｍａｔを選択する場合、実に伝送するＡＣＫ/ＮＡＣＫフィードバック情報は、動的に決定されたＡＣＫ/ＮＡＣＫフィードバック情報であり、即ち、フィードバックビット数は２２ビットより小さい可能性があり、例えば、ＤＣＩ内の時間/周波数ドメインにおけるカウント情報、ビット総数指示情報等により決定されたＡＣＫ/ＮＡＣＫフィードバックビットのシーケンス。上記固定のＡＣＫ/ＮＡＣＫフィードバックビット数のフィードバック情報を伝送することもでき、即ち、設定されたキャリア数及び/または現行アップリンクサブフレームに対応するダウンリンクサブフレーム数に基づいて生成されたフィードバック情報（各々キャリアの伝送モードをさらに含むことができる）。ＰＵＣＣＨ ｆｏｒｍａｔ３を選択する場合、実に伝送するＡＣＫ/ＮＡＣＫフィードバック情報は、設定されたキャリア数及び/または現行アップリンクサブフレームに対応するダウンリンクサブフレーム数に基づいて生成されたフィードバック情報（各々キャリアの伝送モードをさらに含むことができる）であり、勿論、上記ｎｅｗ ｆｏｒｍａｔに対応する方法動的に決定されたＡＣＫ/ＮＡＣＫフィードバック情報であることもできる。
【００８４】
案３
ステップ３０１において、ＵＥは、ＤＣＩ長さに基づき、ＰＵＣＣＨのフォーマット及び/または用いられる直交シーケンスの情報を決定する。
【００８５】
好ましくは、当該ステップの実施スキムは、以下のいずれかの１つを含む。
【００８６】
2018530241.tif 000030
【００８７】
ここで、前記タイプ１のＤＣＩには第３指示フィールドが含まれることができ、前記第３指示フィールドは、前記タイプのＤＣＩに対応する多様なＰＵＣＣＨフォーマットのうちの１タイプを指示することに用いられる。
【００８８】
ここで、前記タイプ２のＤＣＩには第３指示フィールドが含まれることができ、前記第３指示フィールドは、前記タイプ２のＤＣＩに対応する多様なＰＵＣＣＨフォーマットのうちの１タイプを指示することに用いられる。及び/または、前記タイプ２のＤＣＩには第４指示フィールドが含まれ、前記第４指示フィールドは、前記タイプ２のＤＣＩに対応する多様な長さの直交シーケンスのうちの１タイプを指示することに用いられる。
【００８９】
実に実施する場合、割り当てられたＰＵＣＣＨフォーマットが拡散伝送（即ち、直交拡散シーケンス長が１）をサポートしないか、または、固定長さの直交拡散伝送のみをサポートする場合、タイプ１のＤＣＩを用いることができる。ＰＵＣＣＨフォーマットに対応するタイプ１のＤＣＩが１つを超える場合、当該ＤＣＩには、当該ＤＣＩに対応するＰＵＣＣＨフォーマットを示すための第３指示フィールドが含まれる。設定されたＰＵＣＣＨフォーマットが複数の長さの直交拡散シーケンスをサポートしない場合、タイプ２のＤＣＩを用いる。前記タイプ１のＤＣＩは、前記表２に示すＤＣＩ長と異なる。基地局側は、実際の設定状況に応じて、１ＤＣＩを選択して送信することにより、ＰＵＣＣＨフォーマット及び直交シーケンス情報を指示する情報を搭載させ、ＵＥ側は、タイプ１のＤＣＩ及びタイプ２のＤＣＩをブラインド検出し検出されたＤＣＩのタイプにより、ＰＵＣＣＨフォーマット及び直交シーケンス情報を決定する。
【００９０】
好ましくは、前記ＵＥは、されたＤＣＩ長に基づき、前記ＤＣＩ長さに対応するＰＵＣＣＨフォーマットを用いると決定する場合、前記ＤＣＩに第４指示フィールドが含まれ、前記第４指示フィールドは、前記ＤＣＩ長さに対応するＰＵＣＣＨに用いられる直交シーケンスの情報を指示することに用いられる。
【００９１】
さらに、タイプ２のＤＣＩに直交シーケンス情報の指示フィールドが含まれていない場合、ＰＵＣＣＨに用いられる直交シーケンスの情報は、高位層シグナリングにより予め設定されることができる。または、タイプ２のＤＣＩ内の直交シーケンス情報フィールドが直交シーケンスの長さまたは、番号である場合、高位層シグナリングにより予め設定されることができる。
【００９２】
以下、幾つかの実例を挙げて、上記の案３を説明する。
【００９３】
実例１：システムは、ＰＵＣＣＨフォーマット３及び１個の新ＰＵＣＣＨフォーマットが定義され、直交シーケンスを利用せず、ＤＣＩ-１及びＤＣＩ-２を定義することができ、ＤＣＩ長さは異なるＵＥがＰＵＣＣＨフォーマット３を用いるように設定する場合、基地局は、ＤＣＩ-１を用いてスケジューリングする。ＵＥが新ＰＵＣＣＨフォーマットを用いるように設定する場合、基地局は、ＤＣＩ-２を用いれスケジューリングする。ＵＥは、異なるＤＣＩをブラインド検出することにより、用いられるＰＵＣＣＨフォーマットを把握することができる。
【００９４】
2018530241.tif 000031
【００９５】
2018530241.tif 000032
【００９６】
2018530241.tif 000033
【００９７】
上記案３の各々実例において、直交シーケンス番号の決定スキムは案１の関連動作と類似するため、この以上説明しない。
【００９８】
本発明に係る上記の各々実施例において、ＰＵＣＣＨのフォーマットに対応する周波数ドメインリソースの指示情報は、ＤＣＩ内の第５指示フィールドにより、指示することができる。または、各々ＰＵＣＣＨのフォーマットに対応する周波数ドメインリソース集合を予め設定し、前記周波数ドメインリソース集合には、少なくとも２つの周波数ドメインリソースが含まれる、ＤＣＩ内の第６指示フィールドは、前記周波数ドメインリソース集合内の１エレメントの指示情報を示す。または、タイプ別のＰＵＣＣＨのフォーマットに対応する周波数ドメインリソースは、高位層シグナリングにより設定される。
【００９９】
ここで、ＰＵＣＣＨのフォーマットに対応する周波数ドメインリソースの指示情報は、ＰＲＢ数、ＰＲＢ番号（ＰＲＢ番号は当該ＰＲＢのシステム帯域幅における位置を識別することができる）、及びＰＵＣＣＨのチャネルリソース番号のうちの１つまたは複数を含む。
【０１００】
さらに、ＰＵＣＣＨのフォーマットに対応する周波数ドメインリソースの指示情報にＰＵＣＣＨのチャネルリソース番号が含まれば、ＵＥは、当該ＰＵＣＣＨのチャネルリソース番号により、当該ＰＵＣＣＨのフォーマットに対応するＰＲＢ番号を決定することができる。即ち、ＰＵＣＣＨのフォーマットに対応するＰＲＢ番号は、当該ＰＵＣＣＨのチャネルリソース番号により決定される。
【０１０１】
2018530241.tif 000034
【０１０２】
2018530241.tif 000035
【０１０３】
2018530241.tif 000036
【０１０４】
2018530241.tif 000037
【０１０５】
さらに、ＰＲＢ数は、ＵＣＩフィードバックビット数により暗黙に決定されることができる。例えば、ビット数の閾値を予め設定し、ＵＣＩフィードバックビット数が当該閾値を越える場合、２つのＰＲＢで伝送される。超えていない場合、１ＰＲＢで伝送する。より多いのＰＲＢで伝送するように定義する場合の方法は、これと類似する。
【０１０６】
さらに、本発明の上述の各実施例において、ＰＵＣＣＨに用いられる直交シーケンスの長さは、ＰＵＣＣＨのフォーマットにより決定されることができる、ここで、いずれタイプのＰＵＣＣＨのフォーマットは、１種の長さの直交シーケンスに対応する。または、ＤＣＩ内の第７指示フィールドにはＰＵＣＣＨのフォーマットに対応する直交シーケンスの情報が搭載されている。または、前記ＰＵＣＣＨに用いられる直交シーケンスの情報は、高位層シグナリングにより通知される。
【０１０７】
さらに、本発明の上述の各実施例において、ＰＵＣＣＨのチャネルリソース番号によりＰＵＣＣＨに用いられる直交シーケンスの番号を決定する。以下、４つの規則を挙げてＰＵＣＣＨに用いられる直交シーケンスの番号を決定する。
【０１０８】
＜規則１＞少なくとも、ＰＵＣＣＨのチャネルリソース番号及び当該ＰＵＣＣＨに用いられる直交シーケンスの長さにより、当該ＰＵＣＣＨのがサブフレームにおいて用いられる直交シーケンスの番号を決定する。
【０１０９】
2018530241.tif 000038
【０１１０】
2018530241.tif 000039
【０１１１】
2018530241.tif 000040
【０１１２】
2018530241.tif 000041
【０１１３】
＜規則３＞少なくとも、ＰＵＣＣＨのチャネルリソース番号、当該ＰＵＣＣＨに用いられる直交シーケンスの長さ及び当該ＰＵＣＣＨ伝送に用いられるＳＣ−ＦＤＭＡシンボルの番号に基づき、当該ＰＵＣＣＨ所在のサブフレームにおけるスロットごとに当該ＳＣ−ＦＤＭＡシンボル上の対応する直交シーケンスの番号を決定する。
【０１１４】
2018530241.tif 000042
【０１１５】
＜規則４＞少なくとも、ＰＵＣＣＨのチャネルリソース番号、当該ＰＵＣＣＨに用いられる直交シーケンスの長さ、当該ＰＵＣＣＨ所在のスロットの番号及び当該スロットにおけるＰＵＣＣＨを伝送するためのＳＣ−ＦＤＭＡシンボルの番号に基づき、当該ＰＵＣＣＨ所在のサブフレームの当該スロットにおける当該ＳＣ−ＦＤＭＡシンボル上の対応の直交シーケンスの番号を決定する。
【０１１６】
2018530241.tif 000043
【０１１７】
ここで、ＰＵＣＣＨのチャネルリソース番号はＤＣＩに基づき通知され、例えば、ＤＣＩ内の特定ビットフィールドによりＰＵＣＣＨのチャネルリソース番号を示す。ＰＵＣＣＨのチャネルリソース番号は、高位層シグナリングにより通知されることもでき、例えば、高位層シグナリング内の特定ビットフィールドにより、ＰＵＣＣＨのチャネルリソース番号を示す。ＰＵＣＣＨのチャネルリソース番号は、ＤＣＩ及び高位層シグナリングにより共同に通知され、例えば、ネットワーク側は、高位層シグナリングにより、ユーザー装置のためにＰＵＣＣＨのチャネルリソース番号集合を予めに設定し、当該集合には少なくとも２つのチャネルリソース番号組が含まられ、組ごとに少なくとも１つのチャネルリソース番号が含まれ、ネットワーク側は、ＤＣＩに含まれるビットフィールドにより、ユーザー装置に、当該集合内の１つのチャネルリソース番号組を指示する。
【０１１８】
2018530241.tif 000044
【０１１９】
2018530241.tif 000045
【０１２０】
2018530241.tif 000046
【０１２１】
2018530241.tif 000047
【０１２２】
図６は本発明の実施例に係るＰＵＣＣＨをベースとするアップリンク制御情報の伝送フローチャートである。当該フローチャートは基地局側において実現される。ここで、当該基地局側におけるフローチャートは、図３に示すフローチャートと対応し、即ち、基地局は、図６に示すスキムでＤＣＩを伝送するが、ＵＥは、図３に示すスキムで、当該ＤＣＩに基づき、ＰＵＣＣＨのフォーマット及び/または用いられる直交シーケンスの情報の指示情報を決定し、決定されたＰＵＣＣＨのフォーマット及び/または用いられる直交シーケンスの情報により、ＰＵＣＣＨに搭載されたアップリンク制御情報を送信する。一方、基地局は、前記ＰＵＣＣＨに搭載されたアップリンク制御情報を受信する。よって、基地局側のフローチャートに係る説明は、上記実施例を参照することができ、ここで、繰り返して説明しない。
【０１２３】
図６に示すように、当該フローチャートは、ステップ６０１と、ステップ６０２とを備える。
【０１２４】
ステップ６０１において、基地局は、ＰＵＣＣＨのフォーマット及び/または用いられる直交シーケンスの情報を通知するため、ＤＣＩを送信する。
【０１２５】
ステップ６０２において、基地局は、前記ＤＣＩに対応するＰＵＣＣＨのフォーマット及び/または用いられる直交シーケンスの情報に基づき、前記ＰＵＣＣＨに搭載されたアップリンク制御情報を受信する。
【０１２６】
上記実施例のステップ６０１は多様な実施方式があり、以下、好ましい実施方式である案４、案５、案６とを含む。
【０１２７】
案４
案４において、前記ＤＣＩに第１指示フィールドが含まれ、前記基地局は、ＰＵＣＣＨのフォーマット及び/または用いられる直交シーケンスの情報を決定し、ＰＵＣＣＨのフォーマット及び/または用いられる直交シーケンスの情報を示す指示情報を、前記ＤＣＩ内の第１指示フィールドに搭載させてＵＥに送信する。こうして、前記ＵＥは、ＤＣＩ内の第１指示フィールドにより、前記第１指示フィールドにより指示されたＰＵＣＣＨのフォーマット及び/または用いられる直交シーケンスの情報を取得する。
【０１２８】
具体的に、前記ＤＣＩ内の第２指示フィールドは、以下のことに用いられる。前記ＵＥは、前記現行サブフレーム内のＵＣＩフィードバックビット数及びＵＣＩフィードバックビット数とＰＵＣＣＨフォーマット及び/または用いられる直交シーケンスの情報の間の対応関係に基づき、現行サブフレーム内のＰＵＣＣＨのフォーマット及び/または用いられる直交シーケンスの情報を決定する。ここで、前記ＤＣＩ内の第２指示フィールドに基づいて決定された前記現行サブフレーム内のＵＣＩフィードバックビット数は、ＵＣＩフィードバックビット数集合内の１エレメントに対応する。前記ＵＣＩフィードバックビット数集合はＮ個のエレメントを含む。各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数である。
【０１２９】
ここで、前記ＵＣＩフィードバックビット数集合内のＮ個のエレメントは、ＵＣＩフィードバックビット数のＮ個の値である。または、前記ＵＣＩフィードバックビット数集合内のＮ個のエレメントはキャリア数のＮ個の値である。各々キャリア数の値は、１ＵＣＩフィードバックビット数の値に対応する。または、前記ＵＣＩフィードバックビット数集合内のＮ個のエレメントはサブフレーム数のＮ個の値である。各々サブフレーム数の値は、１ＵＣＩフィードバックビット数の値に対応する。または、前記ＵＣＩフィードバックビット数集合内のＮ個のエレメントは、キャリアデータ及びサブフレーム数のＮ個の組み合わせである。各々組み合わせは、１ＵＣＩフィードバックビット数の値に対応する。または、前記ＵＣＩフィードバックビット数集合内のＮ個のエレメントはＮ個のキャリア集合である。各々キャリア集合は、１ＵＣＩフィードバックビット数の値に対応する。または、前記ＵＣＩフィードバックビット数集合内のＮ個のエレメントはＮ個のサブフレーム集合である。各々サブフレーム集合は、１ＵＣＩフィードバックビット数の値に対応する。または、前記ＵＣＩフィードバックビット数集合内のＮ個のエレメントは、キャリア集合及びサブフレーム集合のＮ個の組み合わせである。各々組み合わせは、１ＵＣＩフィードバックビット数の値に対応する。
【０１３０】
さらに、前記ＵＣＩフィードバックビット数集合は、予め定義されるか、または、高位層シグナリングにより設定されたものである。及び/または、ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定される。
【０１３１】
案５
案５において、前記ＤＣＩに第２指示フィールドが含まれ、前記基地局は、現行サブフレーム内のアップリンク制御情報ＵＣＩフィードバックビット数を決定するための指示情報を、前記ＤＣＩ内の第２指示フィールドに搭載させて、ＵＥに送信する。こうして、前記ＵＥは、ＤＣＩ内の第２指示フィールドにより、現行サブフレーム内のアップリンク制御情報ＵＣＩフィードバックビット数を決定し、かつ、現行サブフレーム内のＵＣＩフィードバックビット数に基づいて、ＰＵＣＣＨのフォーマット及び/または用いられる直交シーケンスの情報を決定する。
【０１３２】
具体的に、前記ＤＣＩ内の第２指示フィールドは以下のことに用いられる。前記ＵＥは、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定する。ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数である。
【０１３３】
ここで、前記Ｍ個のＵＣＩフィードバックビット数の区間は、予め設定されるか、または、高位層シグナリングにより設定される。及び/または、ＰＵＣＣＨフォーマット及び/または用いられる直交シーケンスとＵＣＩフィードバックビット数の区間の間の対応関係は、予め定義されるか、または、高位層シグナリングにより設定される。
【０１３４】
案６
案６において、、前記基地局は、ＰＵＣＣＨのフォーマット及び/または用いられる直交シーケンスの情報を決定し、決定されたＰＵＣＣＨのフォーマット及び/または用いられる直交シーケンスの情報に対応するＤＣＩを選択してＵＥに送信する。ユーザー前記ＵＥは、ＤＣＩ長さに基づいて、ＰＵＣＣＨのフォーマット及び/または用いられる直交シーケンスの情報を決定する。
【０１３５】
具体的に、ＤＣＩ長さは、ＰＵＣＣＨフォーマットに対応し、ここで、異なるＤＣＩ長さに対応するＰＵＣＣＨのフォーマットそれぞれは、異なる。または、ＤＣＩ長さは、直交シーケンスの情報に対応し、ここで、異なるＤＣＩ長さに対応する直交シーケンスの情報それぞれは異なる。または、ＤＣＩ長さは、ＰＵＣＣＨフォーマット及び直交シーケンスの情報に対応し、ここで、異なるＤＣＩ長さに対応するＰＵＣＣＨのフォーマットと用いられる直交シーケンスの組み合わせそれぞれは、異なる。または、タイプ１のＤＣＩに対応するＰＵＣＣＨフォーマットは、拡散伝送をサポートしないか、または、固定長さの直交シーケンス拡散伝送のみをサポートする。タイプ２のＤＣＩに対応するＰＵＣＣＨフォーマットは、複数の直交シーケンスの情報に対応する。ここで、タイプ１のＤＣＩ及びタイプ２のＤＣＩ長は、異なる。
【０１３６】
ここで、前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられる。
【０１３７】
さらに、前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられる。及び/または、前記タイプ２のＤＣＩには第４指示フィールドが含まれ、前記第４指示フィールドは、前記タイプ２のＤＣＩに対応する多様な長さの直交シーケンスのうちの１タイプを指示することに用いられる。
【０１３８】
さらに、ＤＣＩ長さは、ＰＵＣＣＨフォーマットに対応する場合、前記ＤＣＩに第４指示フィールドが含まれ、前記第４指示フィールドは、前記ＤＣＩ長さに対応するＰＵＣＣＨに用いられる直交シーケンスの情報を指示することに用いられる。
【０１３９】
同様な発明思想により、本発明に係る実施例は、ＵＥをさらに提供し、当該ＵＥは、上述の実施例における。前記ＰＵＣＣＨをベースとするアップリンク制御情報を伝送数ｒフローチャートに適用する。
【０１４０】
図７に示すように、本発明の実施例に係るＵＥは、決定モジュール７０１と、伝送モジュール７０２とを備える。
【０１４１】
前記決定モジュール７０１は、ＤＣＩに基づき、ＰＵＣＣＨのフォーマット及び/または用いられる直交シーケンスの情報を決定する。
【０１４２】
前記伝送モジュール７０２は、ＰＵＣＣＨのフォーマット及び/または用いられる直交シーケンスの情報に基づき、前記ＰＵＣＣＨに搭載されたアップリンク制御情報を伝送する。
【０１４３】
好ましくは、決定モジュール７０１は、案１を採用し、即ち、ＤＣＩ内の第１指示フィールドに基づき、前記第１指示フィールドにより指示されたＰＵＣＣＨのフォーマット及び/または用いられる直交シーケンスの情報を取得する。または、案２を採用し、即ち、ＤＣＩ内の第２指示フィールドに基づき、現行サブフレーム内のアップリンク制御情報ＵＣＩフィードバックビット数を決定し、現行サブフレーム内のＵＣＩフィードバックビット数に基づいて、ＰＵＣＣＨのフォーマット及び/または用いられる直交シーケンスの情報を決定する。または、前記案３を採用し、即ち、ＤＣＩ長に基づき、ＰＵＣＣＨのフォーマット及び/または用いられる直交シーケンスの情報を決定する。
【０１４４】
好ましくは、決定モジュール７０１が前記案２を採用する場合、前記現行サブフレーム内のＵＣＩフィードバックビット数、及びＵＣＩフィードバックビット数とＰＵＣＣＨフォーマット及び/または用いられる直交シーケンスの情報との間の対応関係に基づき、現行サブフレーム内のＰＵＣＣＨのフォーマット及び/または用いられる直交シーケンスの情報を決定する。ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含む。各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数である。
【０１４５】
ここで、前記ＵＣＩフィードバックビット数集合内のＮ個のエレメントは、ＵＣＩフィードバックビット数のＮ個の値である。または、前記ＵＣＩフィードバックビット数集合内のＮ個のエレメントはキャリア数のＮ個の値である。各々キャリア数の値は、１ＵＣＩフィードバックビット数の値に対応する。または、前記ＵＣＩフィードバックビット数集合内のＮ個のエレメントはサブフレーム数のＮ個の値である。各々サブフレーム数の値は、１ＵＣＩフィードバックビット数の値に対応する。または、前記ＵＣＩフィードバックビット数集合内のＮ個のエレメントは、キャリアデータ及びサブフレーム数のＮ個の組み合わせである。各々組み合わせは、１ＵＣＩフィードバックビット数の値に対応する。または、前記ＵＣＩフィードバックビット数集合内のＮ個のエレメントはＮ個のキャリア集合である。各々キャリア集合は、１ＵＣＩフィードバックビット数の値に対応する。または、前記ＵＣＩフィードバックビット数集合内のＮ個のエレメントはＮ個のサブフレーム集合である。各々サブフレーム集合は、１ＵＣＩフィードバックビット数の値に対応する。または、前記ＵＣＩフィードバックビット数集合内のＮ個のエレメントは、キャリア集合及びサブフレーム集合のＮ個の組み合わせである。各々組み合わせは、１ＵＣＩフィードバックビット数の値に対応する。
【０１４６】
ここで、前記ＵＣＩフィードバックビット数集合は、予め定義されるか、または、高位層シグナリングにより設定されたものである。及び/または、ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定される。
【０１４７】
好ましくは、決定モジュール７０１が案２を採用する場合、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定する。ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数である。
【０１４８】
ここで、前記Ｍ個のＵＣＩフィードバックビット数の区間は、予め設定されるか、または、高位層シグナリングにより設定される。及び/または、ＰＵＣＣＨフォーマット及び/または用いられる直交シーケンスとＵＣＩフィードバックビット数の区間の間の対応関係は、予め定義されるか、または、高位層シグナリングにより設定される。
【０１４９】
好ましくは、決定モジュール７０１が前記案３を採用する場合、検出されたＤＣＩ長に基づき、前記ＤＣＩ長さに対応するＰＵＣＣＨフォーマットを用いると決定し、ここで、異なるＤＣＩ長さに対応するＰＵＣＣＨのフォーマットそれぞれは、異なる。または、検出されたＤＣＩ長に基づき、前記ＤＣＩ長さに対応する直交シーケンスの情報を用いると決定し、ここで、異なるＤＣＩ長さに対応する直交シーケンスの情報それぞれは異なる。または、検出されたＤＣＩ長に基づき、前記ＤＣＩ長さに対応するＰＵＣＣＨフォーマット及び直交シーケンスの情報を用いると決定し、ここで、異なるＤＣＩ長さに対応するＰＵＣＣＨのフォーマットと用いられる直交シーケンスの組み合わせそれぞれは、異なる。または、前記ＵＥにより検出されＤＣＩがタイプ１のＤＣＩであれば、タイプ１のＤＣＩに対応するＰＵＣＣＨのフォーマット及び/または用いられる直交シーケンスの情報を決定し、タイプ１のＤＣＩに対応するＰＵＣＣＨフォーマットは、拡散伝送をサポートしないか、または、固定長さの直交シーケンス拡散伝送のみをサポートし、前記ＵＥにより検出されＤＣＩがタイプ２のＤＣＩであれば、タイプ２のＤＣＩに対応するＰＵＣＣＨのフォーマット及び/または用いられる直交シーケンスの情報を決定し、タイプ２のＤＣＩに対応するＰＵＣＣＨフォーマットは、複数の直交シーケンスの情報に対応し、ここで、タイプ１のＤＣＩ及びタイプ２のＤＣＩ長は、異なる。
【０１５０】
ここで、前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられる。
【０１５１】
ここで、前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられる。及び/または、前記タイプ２のＤＣＩには第４指示フィールドが含まれ、前記第４指示フィールドは、前記タイプ２のＤＣＩに対応する多様な長さの直交シーケンスのうちの１タイプを指示することに用いられる。
【０１５２】
好ましくは、前記決定モジュールは、検出されたＤＣＩ長に基づき、前記ＤＣＩ長さに対応するＰＵＣＣＨフォーマットを用いると決定する場合、前記ＤＣＩに第４指示フィールドが含まれ、前記第４指示フィールドは、前記ＤＣＩ長さに対応するＰＵＣＣＨに用いられる直交シーケンスの情報を指示することに用いられる。
【０１５３】
好ましくは、前記直交シーケンスの情報は、直交シーケンスの長さ及び番号のうちの１つまたは複数を含む。各々直交シーケンスの長さに対応する直交シーケンスは予め定義される。
【０１５４】
好ましくは、前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応する。または、ＤＣＩ内の第７指示フィールドにはＰＵＣＣＨのフォーマットに対応する直交シーケンスの情報が搭載されている。または、前記ＰＵＣＣＨに用いられる直交シーケンスの情報は、高位層シグナリングにより通知される。
【０１５５】
好ましくは、前記ＰＵＣＣＨのフォーマットは、ＰＵＣＣＨフォーマット２、ＰＵＣＣＨフォーマット３、及び新ＰＵＣＣＨフォーマットのうちの１つまたは複数を含む。
【０１５６】
好ましくは、伝送モジュール７０２は、決定されたＰＵＣＣＨのフォーマットがＰＵＣＣＨ フォーマット３である場合、新ＰＵＣＣＨフォーマットに対応するＵＣＩフィードバックビット数に従って伝送する。
【０１５７】
同様な発明思想により、本発明に係る実施例はＵＥを提供し、当該ＵＥは,上述の実施例における、前記ＰＵＣＣＨをベースとするアップリンク制御情報の伝送フローチャートを実施するう。
【０１５８】
図８に示すように、当該ＵＥは、プロセッサ８０１と、メモリ８０２と、送受信機８０３と、バスインターフェースとを備える。
【０１５９】
プロセッサ８０１は、バズアーキテクチャ及び通常の処理を監視し、メモリ８０２は、プロセッサ８０１が動作する際に利用するデータを記憶することができる。送受信機８０３は、プロセッサ８０１の制御によりデータを送受信する。
【０１６０】
バスアーキテクチャは、いずれ数の相互接続するバス及びブリッジを備える。具体的に、プロセッサ８０１が代表となる１つまたは複数のプロセッサ及びメモリ８０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機８０３は、複数の部品であることができ、即ち、送信機及び受信機を備え、伝送媒体を介して他の装置と通信するユニットを提供する。プロセッサ８０１は、バズアーキテクチャ及び通常の処理を監視し、メモリ８０２は、プロセッサ８０１が動作する際に利用するデータを記憶することができる。
【０１６１】
本発明に係る実施例により開示されたフローチャートは、プロセッサ８０１に適用することができるか、または、プロセッサ８０１により実現される。実現の間、周波数ドメインにおける拡散伝送流れにおける各々ステップは、プロセッサ８０１内のハードウェアの論理集積回路またはソフトウェア形式の指令により完成されることができる。プロセッサ８０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ８０２に位置し、プロセッサ８０１はメモリ８０２に格納される情報をよみだして、そのハードウェアと協働して周波数ドメインにおける拡散伝送のステップを完成する。
【０１６２】
具体的に、前記プロセッサ８０１は、メモリ８０２に格納されＴらプログラムを読み出して、ＤＣＩに基づき、ＰＵＣＣＨのフォーマット及び/または用いられる直交シーケンスの情報を決定する。
【０１６３】
前記ＵＥは、ＰＵＣＣＨのフォーマット及び/または用いられる直交シーケンスの情報に基づき、前記ＰＵＣＣＨに搭載されたアップリンク制御情報を伝送する。
【０１６４】
ここで、ＤＣＩに基づき、ＰＵＣＣＨのフォーマット及び/または用いられる直交シーケンスの情報を決定することは、ＤＣＩ内の第１指示フィールドに基づき、前記第１指示フィールドにより指示されたＰＵＣＣＨのフォーマット及び/または用いられる直交シーケンスの情報を取得する。または、ＤＣＩ内の第２指示フィールドに基づき、現行サブフレーム内のアップリンク制御情報ＵＣＩフィードバックビット数を決定し、現行サブフレーム内のＵＣＩフィードバックビット数に基づいて、ＰＵＣＣＨのフォーマット及び/または用いられる直交シーケンスの情報を決定する。または、ＤＣＩ長に基づき、ＰＵＣＣＨのフォーマット及び/または用いられる直交シーケンスの情報を決定する。
【０１６５】
当該流れの具体的な実施スキームは前の実施例を参照すればよいため、この以上説明しない。
【０１６６】
同様な発明思想により、本発明に係る実施例は、基地局を提供し、当該基地局は、上述の実施例における、前記ＰＵＣＣＨをベースとするアップリンク制御情報の伝送フローチャートを実施する。
【０１６７】
図９に示すように、本発明に係る実施例の基地局は、送信モジュール９０１と、受信モジュール９０２とを備える。
【０１６８】
前記送信モジュール９０１は、ＰＵＣＣＨのフォーマット及び/または用いられる直交シーケンスの情報を通知するため、ＤＣＩを送信する。
【０１６９】
前記受信モジュール９０２は、前記ＤＣＩに対応するＰＵＣＣＨのフォーマット及び/または用いられる直交シーケンスの情報に基づき、前記ＰＵＣＣＨに搭載されたアップリンク制御情報を受信する。
【０１７０】
好ましくは、案４において、前記ＤＣＩに第１指示フィールドが含まれ、前記基地局は、ＰＵＣＣＨのフォーマット及び/または用いられる直交シーケンスの情報を決定し、ＰＵＣＣＨのフォーマット及び/または用いられる直交シーケンスの情報を示す指示情報を、前記ＤＣＩ内の第１指示フィールドに搭載させてＵＥに送信する。こうして、前記ＵＥは、ＤＣＩ内の第１指示フィールドにより、前記第１指示フィールドにより指示されたＰＵＣＣＨのフォーマット及び/または用いられる直交シーケンスの情報を取得する。または、案５において、前記ＤＣＩに第２指示フィールドが含まれ、前記基地局は、現行サブフレーム内のアップリンク制御情報ＵＣＩフィードバックビット数を決定するための指示情報を、前記ＤＣＩ内の第２指示フィールドに搭載させて、ＵＥに送信する。こうして、前記ＵＥは、ＤＣＩ内の第２指示フィールドにより、現行サブフレーム内のアップリンク制御情報ＵＣＩフィードバックビット数を決定し、かつ、現行サブフレーム内のＵＣＩフィードバックビット数に基づいて、ＰＵＣＣＨのフォーマット及び/または用いられる直交シーケンスの情報を決定する。または、案６において、前記基地局は、ＰＵＣＣＨのフォーマット及び/または用いられる直交シーケンスの情報を決定し、決定されたＰＵＣＣＨのフォーマット及び/または用いられる直交シーケンスの情報に対応するＤＣＩを選択してＵＥに送信する。こうして、前記ＵＥは、ＤＣＩ長さに基づいて、ＰＵＣＣＨのフォーマット及び/または用いられる直交シーケンスの情報を決定する。
【０１７１】
好ましくは、案４において、前記ＤＣＩ内の第２指示フィールドは以下のことに用いられる。前記ＵＥは、前記現行サブフレーム内のＵＣＩフィードバックビット数及びＵＣＩフィードバックビット数とＰＵＣＣＨフォーマット及び/または用いられる直交シーケンスの情報の間の対応関係に基づき、現行サブフレーム内のＰＵＣＣＨのフォーマット及び/または用いられる直交シーケンスの情報を決定する。ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含む。各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数である。
【０１７２】
ここで、前記ＵＣＩフィードバックビット数集合内のＮ個のエレメントは、ＵＣＩフィードバックビット数のＮ個の値である。または、前記ＵＣＩフィードバックビット数集合内のＮ個のエレメントはキャリア数のＮ個の値である。各々キャリア数の値は、１ＵＣＩフィードバックビット数の値に対応する。または、前記ＵＣＩフィードバックビット数集合内のＮ個のエレメントはサブフレーム数のＮ個の値である。各々サブフレーム数の値は、１ＵＣＩフィードバックビット数の値に対応する。または、前記ＵＣＩフィードバックビット数集合内のＮ個のエレメントは、キャリアデータ及びサブフレーム数のＮ個の組み合わせである。各々組み合わせは、１ＵＣＩフィードバックビット数の値に対応する。または、前記ＵＣＩフィードバックビット数集合内のＮ個のエレメントはＮ個のキャリア集合である。各々キャリア集合は、１ＵＣＩフィードバックビット数の値に対応する。または、前記ＵＣＩフィードバックビット数集合内のＮ個のエレメントはＮ個のサブフレーム集合である。各々サブフレーム集合は、１ＵＣＩフィードバックビット数の値に対応する。または、前記ＵＣＩフィードバックビット数集合内のＮ個のエレメントは、キャリア集合及びサブフレーム集合のＮ個の組み合わせである。各々組み合わせは、１ＵＣＩフィードバックビット数の値に対応する。
【０１７３】
ここで、前記ＵＣＩフィードバックビット数集合は、予め定義されるか、または、高位層シグナリングにより設定されたものである。及び/または、ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定される。
【０１７４】
好ましくは、案５において、前記ＤＣＩ内の第２指示フィールドは、前記ＵＥは、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定する。ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数である。
【０１７５】
ここで、前記Ｍ個のＵＣＩフィードバックビット数の区間は、予め設定されるか、または、高位層シグナリングにより設定される。及び/または、ＰＵＣＣＨフォーマット及び/または用いられる直交シーケンスとＵＣＩフィードバックビット数の区間の間の対応関係は、予め定義されるか、または、高位層シグナリングにより設定される。
【０１７６】
好ましくは、案６において、ＤＣＩ長さは、ＰＵＣＣＨフォーマットに対応し、ここで、異なるＤＣＩ長さに対応するＰＵＣＣＨのフォーマットそれぞれは、異なる。または、ＤＣＩ長さは、直交シーケンスの情報に対応し、ここで、異なるＤＣＩ長さに対応する直交シーケンスの情報それぞれは異なる。または、ＤＣＩ長さは、ＰＵＣＣＨフォーマット及び直交シーケンスの情報に対応し、ここで、異なるＤＣＩ長さに対応するＰＵＣＣＨのフォーマットと用いられる直交シーケンスの組み合わせそれぞれは、異なる。または、タイプ１のＤＣＩに対応するＰＵＣＣＨフォーマットは、拡散伝送をサポートしないか、または、固定長さの直交シーケンス拡散伝送のみをサポートし、タイプ２のＤＣＩに対応するＰＵＣＣＨフォーマットは、複数の直交シーケンスの情報に対応し、ここで、タイプ１のＤＣＩ及びタイプ２のＤＣＩ長は、異なる。
【０１７７】
ここで、前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられる。
【０１７８】
ここで、前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられる。及び/または、前記タイプ２のＤＣＩには第４指示フィールドが含まれ、前記第４指示フィールドは、前記タイプ２のＤＣＩに対応する多様な長さの直交シーケンスのうちの１タイプを指示することに用いられる。
【０１７９】
ここで、ＤＣＩ長さは、ＰＵＣＣＨフォーマットに対応する場合、前記ＤＣＩに第４指示フィールドが含まれ、前記第４指示フィールドは、前記ＤＣＩ長さに対応するＰＵＣＣＨに用いられる直交シーケンスの情報を指示することに用いられる。
【０１８０】
好ましくは、前記直交シーケンスの情報は、直交シーケンスの長さ及び番号のうちの１つまたは複数を含む。各々直交シーケンスの長さに対応する直交シーケンスは予め定義される。
【０１８１】
好ましくは、前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応する。または、ＤＣＩ内の第７指示フィールドにはＰＵＣＣＨのフォーマットに対応する直交シーケンスの情報が搭載されている。または、前記ＰＵＣＣＨに用いられる直交シーケンスの情報は、高位層シグナリングにより通知される。
【０１８２】
好ましくは、前記ＰＵＣＣＨのフォーマットは、ＰＵＣＣＨフォーマット２、ＰＵＣＣＨフォーマット３、及び新ＰＵＣＣＨフォーマットのうちの１つまたは複数を含む。
【０１８３】
好ましくは、決定されたＰＵＣＣＨのフォーマットがＰＵＣＣＨ フォーマット３である場合、新ＰＵＣＣＨフォーマットに対応するＵＣＩフィードバックビット数に従って伝送する。
【０１８４】
同様な発明思想により、本発明に係る実施例は基地局をさらに提供し、当該基地局は、上述の実施例における、前記ＰＵＣＣＨをベースとするアップリンク制御情報の伝送フローチャートを実施する。
【０１８５】
図１０に示すように、本発明に係る実施例が提供する基地局は、プロセッサ１００１と、メモリ１００２と、送受信機１００３と、バスインターフェースとを備える。
【０１８６】
プロセッサ１００１は、バズアーキテクチャ及び通常の処理を監視し、メモリ１００２は、プロセッサ１００１が動作する際に利用するデータを記憶することができる。送受信機１００３はプロセッサ１００１の制御によりデータを送受信する。
【０１８７】
バスアーキテクチャは、いずれ数の相互接続するバス及びブリッジを備える。具体的に、プロセッサ１００１が代表となる１つまたは複数のプロセッサ及びメモリ１２０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１００３は、複数の部品であることができ、即ち、送信機及び受信機を備え、伝送媒体を介して他の装置と通信するユニットを提供する。プロセッサ１２０１は、バズアーキテクチャ及び通常の処理を監視し、メモリ１００２は、プロセッサ１００１が動作する際に利用するデータを記憶することができる。
【０１８８】
本発明に係る実施例により開示されたユーザー装置側の周波数ドメインにおける拡散伝送流れは、プロセッサ１００１に適用することができるか、または、プロセッサ１００１により実現される。実現の間、周波数ドメインにおける拡散伝送流れにおける各々ステップは、プロセッサ１００１内のハードウェアの論理集積回路またはソフトウェア形式の指令により完成されることができる。プロセッサ１００１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ１００２に位置し、プロセッサ１００１はメモリ１００２に格納される情報をよみだして、そのハードウェアと協働して周波数ドメインにおける拡散伝送のステップを完成する。
【０１８９】
具体的に、プロセッサ１００１、メモリ１００２に格納されＴらプログラムを読み出して、ＰＵＣＣＨのフォーマット及び/または用いられる直交シーケンスの情報を通知するため、ＤＣＩを送信する。
【０１９０】
また、前記ＤＣＩに対応するＰＵＣＣＨのフォーマット及び/または用いられる直交シーケンスの情報に基づき、前記ＰＵＣＣＨに搭載されたアップリンク制御情報を受信する。
【０１９１】
好ましくは、前記ＤＣＩに第１指示フィールドが含まれ、前記基地局は、ＰＵＣＣＨのフォーマット及び/または用いられる直交シーケンスの情報を決定し、ＰＵＣＣＨのフォーマット及び/または用いられる直交シーケンスの情報を示す指示情報を、前記ＤＣＩ内の第１指示フィールドに搭載させてＵＥに送信する。こうして、前記ＵＥは、ＤＣＩ内の第１指示フィールドにより、前記第１指示フィールドにより指示されたＰＵＣＣＨのフォーマット及び/または用いられる直交シーケンスの情報を取得する。または、前記ＤＣＩに第２指示フィールドが含まれ、前記基地局は、現行サブフレーム内のアップリンク制御情報ＵＣＩフィードバックビット数を決定するための指示情報を、前記ＤＣＩ内の第２指示フィールドに搭載させて、ＵＥに送信する。こうして、前記ＵＥは、ＤＣＩ内の第２指示フィールドにより、現行サブフレーム内のアップリンク制御情報ＵＣＩフィードバックビット数を決定し、かつ、現行サブフレーム内のＵＣＩフィードバックビット数に基づいて、ＰＵＣＣＨのフォーマット及び/または用いられる直交シーケンスの情報を決定する。または、前記基地局は、ＰＵＣＣＨのフォーマット及び/または用いられる直交シーケンスの情報を決定し、決定されたＰＵＣＣＨのフォーマット及び/または用いられる直交シーケンスの情報に対応するＤＣＩを選択してＵＥに送信する。こうして、前記ＵＥは、ＤＣＩ長さに基づいて、ＰＵＣＣＨのフォーマット及び/または用いられる直交シーケンスの情報を決定する。
【０１９２】
当該流れの具体的な実施スキームは前の実施例を参照すればよいため、この以上説明しない。
【０１９３】
本分野の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【０１９４】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０１９５】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０１９６】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０１９７】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０１９８】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【図１】
2018530241.tif 000048
【図２】
2018530241.tif 000049
【図３】
2018530241.tif 000050
【図４】
2018530241.tif 000051
【図５】
2018530241.tif 000052
【図６】
2018530241.tif 000053
【図７】
2018530241.tif 000054
【図８】
2018530241.tif 000055
【図９】
2018530241.tif 000056
【図１０】
2018530241.tif 000057
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
ＵＥは、ダウンリンク制御情報ＤＣＩに基づき、物理アップリンク制御チャネル（ＰＵＣＣＨ）のフォーマット及び/または用いられる直交シーケンスの情報を決定するステップと、
前記ＵＥは、ＰＵＣＣＨのフォーマット及び/または用いられる直交シーケンスの情報に基づき、前記ＰＵＣＣＨに搭載されたアップリンク制御情報を伝送するステップとを備えることを特徴とするＰＵＣＣＨをベースとするアップリンク制御情報の伝送方法。
【請求項２】
前記ＵＥは、ＤＣＩに基づき、ＰＵＣＣＨのフォーマット及び/または用いられる直交シーケンスの情報を決定するステップは、
前記ＵＥＤＣＩ内の第１指示フィールドに基づき、前記第１指示フィールドにより指示されたＰＵＣＣＨのフォーマット及び/または用いられる直交シーケンスの情報を取得するか、または、
前記ＵＥＤＣＩ内の第２指示フィールドに基づき、現行サブフレーム内のアップリンク制御情報ＵＣＩフィードバックビット数を決定し、現行サブフレーム内のＵＣＩフィードバックビット数に基づいて、ＰＵＣＣＨのフォーマット及び/または用いられる直交シーケンスの情報を決定するか、または、
前記ＵＥは、ＤＣＩ長さに基づいて、ＰＵＣＣＨのフォーマット及び/または用いられる直交シーケンスの情報を決定することを特徴とする請求項１に記載のＰＵＣＣＨをベースとするアップリンク制御情報の伝送方法。
【請求項３】
前記現行サブフレーム内のＵＣＩフィードバックビット数に基づいて、ＰＵＣＣＨのフォーマット及び/または用いられる直交シーケンスの情報を決定するステップは、
前記現行サブフレーム内のＵＣＩフィードバックビット数、及びＵＣＩフィードバックビット数とＰＵＣＣＨフォーマット及び/または用いられる直交シーケンスの情報との間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含み、各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であり、または、
現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、
前記ＵＥは、ＤＣＩ長さに基づいて、ＰＵＣＣＨのフォーマット及び/または用いられる直交シーケンスの情報を決定するステップは、
前記ＵＥは、されたＤＣＩ長に基づき、前記ＤＣＩ長さに対応するＰＵＣＣＨフォーマットを用いると決定し、ここで、異なるＤＣＩ長さに対応するＰＵＣＣＨのフォーマットそれぞれは、異なるか、または、
前記ＵＥは、されたＤＣＩ長に基づき、前記ＤＣＩ長さに対応する直交シーケンスの情報を用いると決定し、ここで、異なるＤＣＩ長さに対応する直交シーケンスの情報それぞれは異なるか、または、
前記ＵＥは、されたＤＣＩ長に基づき、前記ＤＣＩ長さに対応するＰＵＣＣＨフォーマット及び直交シーケンスの情報を用いると決定し、ここで、異なるＤＣＩ長さに対応するＰＵＣＣＨのフォーマットと用いられる直交シーケンスの組み合わせそれぞれは、異なるか、または、
前記ＵＥにより検出されＤＣＩがタイプ１のＤＣＩであれば、タイプ１のＤＣＩに対応するＰＵＣＣＨのフォーマット及び/または用いられる直交シーケンスの情報を決定し、タイプ１のＤＣＩに対応するＰＵＣＣＨフォーマットは、拡散伝送をサポートしないか、または、固定長さの直交シーケンス拡散伝送のみをサポートし、前記ＵＥにより検出されＤＣＩがタイプ２のＤＣＩであれば、タイプ２のＤＣＩに対応するＰＵＣＣＨのフォーマット及び/または用いられる直交シーケンスの情報を決定し、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項２に記載のＰＵＣＣＨをベースとするアップリンク制御情報の伝送方法。
【請求項４】
前記ＵＣＩフィードバックビット数集合内のＮ個のエレメントは、ＵＣＩフィードバックビット数のＮ個の値であるか、または、
前記ＵＣＩフィードバックビット数集合内のＮ個のエレメントはキャリア数のＮ個の値であり、各々キャリア数の値は、１ＵＣＩフィードバックビット数の値に対応するか、または、
前記ＵＣＩフィードバックビット数集合内のＮ個のエレメントはサブフレーム数のＮ個の値であり、各々サブフレーム数の値は、１ＵＣＩフィードバックビット数の値に対応するか、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応するか、または、
前記ＵＣＩフィードバックビット数集合内のＮ個のエレメントはＮ個のキャリア集合であり、各々キャリア集合は、１ＵＣＩフィードバックビット数の値に対応するか、または、
前記ＵＣＩフィードバックビット数集合内のＮ個のエレメントはＮ個のサブフレーム集合であり、各々サブフレーム集合は、１ＵＣＩフィードバックビット数の値に対応するか、または、
前記ＵＣＩフィードバックビット数集合内のＮ個のエレメントは、キャリア集合及びサブフレーム集合のＮ個の組み合わせであり、各々組み合わせは、１ＵＣＩフィードバックビット数の値に対応することを特徴とする請求項３に記載のＰＵＣＣＨをベースとするアップリンク制御情報の伝送方法。
【請求項５】
前記ＵＣＩフィードバックビット数集合は、予め定義されるか、または、高位層シグナリングにより設定されたものであり、
及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項３に記載のＰＵＣＣＨをベースとするアップリンク制御情報の伝送方法。
【請求項６】
前記Ｍ個のＵＣＩフィードバックビット数の区間は、予め設定されるか、または、高位層シグナリングにより設定され、及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項３に記載のＰＵＣＣＨをベースとするアップリンク制御情報の伝送方法。
【請求項７】
タイプ１のＤＣＩに第３指示フィールドが含まれ、前記第３指示フィールドは、前記タイプのＤＣＩに対応する多様なＰＵＣＣＨフォーマットのうちの１タイプを指示することに用いられ、前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、
及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられるとを特徴とする請求項３に記載のＰＵＣＣＨをベースとするアップリンク制御情報の伝送方法。
【請求項８】
前記ＵＥは、されたＤＣＩ長に基づき、前記ＤＣＩ長さに対応するＰＵＣＣＨフォーマットを用いると決定する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項３に記載のＰＵＣＣＨをベースとするアップリンク制御情報の伝送方法。
【請求項９】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項１ないし請求項８のいずれかに記載のＰＵＣＣＨをベースとするアップリンク制御情報の伝送方法。
【請求項１０】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、
及び/または、
決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項１ないし請求項８のいずれかに記載のＰＵＣＣＨをベースとするアップリンク制御情報の伝送方法。
【請求項１１】
基地局は、物理アップリンク制御チャネル（ＰＵＣＣＨ）のフォーマット及び/または用いられる直交シーケンスの情報を通知するため、ダウンリンク制御情報ＤＣＩを送信するステップと、
前記基地局は、前記ＤＣＩに対応するＰＵＣＣＨのフォーマット及び/または用いられる直交シーケンスの情報に基づき、前記ＰＵＣＣＨに搭載されたアップリンク制御情報を受信するステップとを備えることを特徴とするＰＵＣＣＨをベースとするアップリンク制御情報の伝送方法。
【請求項１２】
前記ＤＣＩに第１指示フィールドが含まれ、前記基地局は、ＰＵＣＣＨのフォーマット及び/または用いられる直交シーケンスの情報を決定し、ＰＵＣＣＨのフォーマット及び/または用いられる直交シーケンスの情報を示す指示情報を、前記ＤＣＩ内の第１指示フィールドに搭載させてＵＥに送信し、こうして、前記ＵＥに、ＤＣＩ内の第１指示フィールドにより、前記第１指示フィールドにより指示されたＰＵＣＣＨのフォーマット及び/または用いられる直交シーケンスの情報を取得させるようにし、または、
前記ＤＣＩに第２指示フィールドが含まれ、前記基地局は、現行サブフレーム内のアップリンク制御情報ＵＣＩフィードバックビット数を決定するための指示情報を、前記ＤＣＩ内の第２指示フィールドに搭載させて、ＵＥに送信し、こうして、前記ＵＥに、ＤＣＩ内の第２指示フィールドにより、現行サブフレーム内のアップリンク制御情報ＵＣＩフィードバックビット数を決定し、かつ、現行サブフレーム内のＵＣＩフィードバックビット数に基づいて、ＰＵＣＣＨのフォーマット及び/または用いられる直交シーケンスの情報を決定させるようにするか、または、
前記基地局は、ＰＵＣＣＨのフォーマット及び/または用いられる直交シーケンスの情報を決定し、決定されたＰＵＣＣＨのフォーマット及び/または用いられる直交シーケンスの情報長に対応するＤＣＩを選択してＵＥに送信し、こうして、前記ＵＥに、ＤＣＩ長さに基づいて、ＰＵＣＣＨのフォーマット及び/または用いられる直交シーケンスの情報を決定させるようにすることを特徴とする請求項１１に記載のＰＵＣＣＨをベースとするアップリンク制御情報の伝送方法。
【請求項１３】
前記ＤＣＩ内の第２指示フィールドは以下のことに用いられ：前記ＵＥは、前記現行サブフレーム内のＵＣＩフィードバックビット数及びＵＣＩフィードバックビット数とＰＵＣＣＨフォーマット及び/または用いられる直交シーケンスの情報の間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含み、各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であるか、または、
前記ＤＣＩ内の第２指示フィールドは以下のことに用いられ：前記ＵＥは、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、または、
ＤＣＩ長さは、ＰＵＣＣＨフォーマットに対応し、ここで、異なるＤＣＩ長さに対応するＰＵＣＣＨのフォーマットそれぞれは、異なるか、または、
ＤＣＩ長さは直交シーケンスの情報に対応し、ここで、異なるＤＣＩ長さに対応する直交シーケンスの情報それぞれは異なるか、または、
ＤＣＩ長さは、ＰＵＣＣＨフォーマット及び直交シーケンスの情報に対応し、ここで、異なるＤＣＩ長さに対応するＰＵＣＣＨのフォーマットと用いられる直交シーケンスの組み合わせそれぞれは、異なるか、または、
タイプ１のＤＣＩに対応するＰＵＣＣＨフォーマットは、拡散伝送をサポートしないか、または、固定長さの直交シーケンス拡散伝送のみをサポートし、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項１２に記載のＰＵＣＣＨをベースとするアップリンク制御情報の伝送方法。
【請求項１４】
前記ＵＣＩフィードバックビット数集合内のＮ個のエレメントは、ＵＣＩフィードバックビット数のＮ個の値であるか、または、
前記ＵＣＩフィードバックビット数集合内のＮ個のエレメントはキャリア数のＮ個の値であり、各々キャリア数の値は、１ＵＣＩフィードバックビット数の値に対応するか、または、
前記ＵＣＩフィードバックビット数集合内のＮ個のエレメントはサブフレーム数のＮ個の値であり、各々サブフレーム数の値は、１ＵＣＩフィードバックビット数の値に対応するか、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応するか、または、
前記ＵＣＩフィードバックビット数集合内のＮ個のエレメントはＮ個のキャリア集合であり、各々キャリア集合は、１ＵＣＩフィードバックビット数の値に対応するか、または、
前記ＵＣＩフィードバックビット数集合内のＮ個のエレメントはＮ個のサブフレーム集合であり、各々サブフレーム集合は、１ＵＣＩフィードバックビット数の値に対応するか、または、
前記ＵＣＩフィードバックビット数集合内のＮ個のエレメントは、キャリア集合及びサブフレーム集合のＮ個の組み合わせであり、各々組み合わせは、１ＵＣＩフィードバックビット数の値に対応することを特徴とする請求項１３に記載のＰＵＣＣＨをベースとするアップリンク制御情報の伝送方法。
【請求項１５】
前記ＵＣＩフィードバックビット数集合は、予め定義されるか、または、高位層シグナリングにより設定されたものであり、及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項１３に記載のＰＵＣＣＨをベースとするアップリンク制御情報の伝送方法。
【請求項１６】
前記Ｍ個のＵＣＩフィードバックビット数の区間は、予め設定されるか、または、高位層シグナリングにより設定され、
及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項１３に記載のＰＵＣＣＨをベースとするアップリンク制御情報の伝送方法。
【請求項１７】
タイプ１のＤＣＩに第３指示フィールドが含まれ、前記第３指示フィールドは、前記タイプのＤＣＩに対応する多様なＰＵＣＣＨフォーマットのうちの１タイプを指示することに用いられ、及び/または、
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、
及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられることを特徴とする請求項１３に記載のＰＵＣＣＨをベースとするアップリンク制御情報の伝送方法。
【請求項１８】
ＤＣＩ長さは、ＰＵＣＣＨフォーマットに対応する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項１３に記載のＰＵＣＣＨをベースとするアップリンク制御情報の伝送方法。
【請求項１９】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項１１ないし請求項１８のいずれか１に記載のＰＵＣＣＨをベースとするアップリンク制御情報の伝送方法。
【請求項２０】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、
及び/または、
決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項１１ないし請求項１８のいずれか１に記載のＰＵＣＣＨをベースとするアップリンク制御情報の伝送方法。
【請求項２１】
ダウンリンク制御情報ＤＣＩに基づきＩ、物理アップリンク制御チャネル（ＰＵＣＣＨ）のフォーマット及び/または用いられる直交シーケンスの情報を決定する決定モジュールと、
ＰＵＣＣＨのフォーマット及び/または用いられる直交シーケンスの情報に基づき、前記ＰＵＣＣＨに搭載されたアップリンク制御情報を伝送する伝送モジュールとを備えることを特徴とするＵＥ。
【請求項２２】
前記決定モジュールは、
ＤＣＩ内の第１指示フィールドに基づき、前記第１指示フィールドにより指示されたＰＵＣＣＨのフォーマット及び/または用いられる直交シーケンスの情報を取得するか、または、
ＤＣＩ内の第２指示フィールドに基づき、現行サブフレーム内のアップリンク制御情報ＵＣＩフィードバックビット数を決定し、現行サブフレーム内のＵＣＩフィードバックビット数に基づいて、ＰＵＣＣＨのフォーマット及び/または用いられる直交シーケンスの情報を決定するか、または、
ＤＣＩ長に基づき、ＰＵＣＣＨのフォーマット及び/または用いられる直交シーケンスの情報を決定することを特徴とする請求項２１に記載のＵＥ。
【請求項２３】
前記決定モジュールは、
前記現行サブフレーム内のＵＣＩフィードバックビット数、及びＵＣＩフィードバックビット数とＰＵＣＣＨフォーマット及び/または用いられる直交シーケンスの情報との間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含み、各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であり、または、
現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、または、
検出されたＤＣＩ長に基づき、前記ＤＣＩ長さに対応するＰＵＣＣＨフォーマットを用いると決定し、ここで、異なるＤＣＩ長さに対応するＰＵＣＣＨのフォーマットそれぞれは、異なるか、または、
検出されたＤＣＩ長に基づき、前記ＤＣＩ長さに対応する直交シーケンスの情報を用いると決定し、ここで、異なるＤＣＩ長さに対応する直交シーケンスの情報それぞれは異なるか、または、
検出されたＤＣＩ長に基づき、前記ＤＣＩ長さに対応するＰＵＣＣＨフォーマット及び直交シーケンスの情報を用いると決定し、ここで、異なるＤＣＩ長さに対応するＰＵＣＣＨのフォーマットと用いられる直交シーケンスの組み合わせそれぞれは、異なるか、または、
前記ＵＥにより検出されＤＣＩがタイプ１のＤＣＩであれば、タイプ１のＤＣＩに対応するＰＵＣＣＨのフォーマット及び/または用いられる直交シーケンスの情報を決定し、タイプ１のＤＣＩに対応するＰＵＣＣＨフォーマットは、拡散伝送をサポートしないか、または、固定長さの直交シーケンス拡散伝送のみをサポートし、前記ＵＥにより検出されＤＣＩがタイプ２のＤＣＩであれば、タイプ２のＤＣＩに対応するＰＵＣＣＨのフォーマット及び/または用いられる直交シーケンスの情報を決定し、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項２１に記載のＵＥ。
【請求項２４】
前記ＵＣＩフィードバックビット数集合内のＮ個のエレメントは、ＵＣＩフィードバックビット数のＮ個の値であるか、または、
前記ＵＣＩフィードバックビット数集合内のＮ個のエレメントはキャリア数のＮ個の値であり、各々キャリア数の値は、１ＵＣＩフィードバックビット数の値に対応するか、または、
前記ＵＣＩフィードバックビット数集合内のＮ個のエレメントはサブフレーム数のＮ個の値であり、各々サブフレーム数の値は、１ＵＣＩフィードバックビット数の値に対応するか、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応するか、または、
前記ＵＣＩフィードバックビット数集合内のＮ個のエレメントはＮ個のキャリア集合であり、各々キャリア集合は、１ＵＣＩフィードバックビット数の値に対応するか、または、
前記ＵＣＩフィードバックビット数集合内のＮ個のエレメントはＮ個のサブフレーム集合であり、各々サブフレーム集合は、１ＵＣＩフィードバックビット数の値に対応するか、または、
前記ＵＣＩフィードバックビット数集合内のＮ個のエレメントは、キャリア集合及びサブフレーム集合のＮ個の組み合わせであり、各々組み合わせは、１ＵＣＩフィードバックビット数の値に対応することを特徴とする請求項２３に記載のＵＥ。
【請求項２５】
前記ＵＣＩフィードバックビット数集合は、予め定義されるか、または、高位層シグナリングにより設定されたものであり、
及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項２３に記載のＵＥ。
【請求項２６】
前記Ｍ個のＵＣＩフィードバックビット数の区間は、予め設定されるか、または、高位層シグナリングにより設定され、
及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項２３に記載のＵＥ。
【請求項２７】
前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられ、
及び/または、
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられることを特徴とする請求項２３に記載のＵＥ。
【請求項２８】
前記決定モジュールが、検出されたＤＣＩ長に基づき、前記ＤＣＩ長さに対応するＰＵＣＣＨフォーマットを用いると決定する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項２３に記載のＵＥ。
【請求項２９】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項２１ないし請求項２８のいずれか１に記載のＵＥ。
【請求項３０】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、及び/または、
前記伝送モジュールは、決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項２１ないし請求項２８のいずれか１に記載のＵＥ。
【請求項３１】
物理アップリンク制御チャネル（ＰＵＣＣＨ）のフォーマット及び/または用いられる直交シーケンスの情報を通知するため、ダウンリンク制御情報ＤＣＩを送信する送信モジュールと、
前記ＤＣＩに対応するＰＵＣＣＨのフォーマット及び/または用いられる直交シーケンスの情報に基づき、前記ＰＵＣＣＨに搭載されたアップリンク制御情報を受信する受信モジュールとを備えることを特徴とする基地局。
【請求項３２】
前記ＤＣＩに第１指示フィールドが含まれ、前記基地局は、ＰＵＣＣＨのフォーマット及び/または用いられる直交シーケンスの情報を決定し、ＰＵＣＣＨのフォーマット及び/または用いられる直交シーケンスの情報を示す指示情報を、前記ＤＣＩ内の第１指示フィールドに搭載させてＵＥに送信し、こうして、前記ＵＥに、ＤＣＩ内の第１指示フィールドにより、前記第１指示フィールドにより指示されたＰＵＣＣＨのフォーマット及び/または用いられる直交シーケンスの情報を取得させるようにし、または、
前記ＤＣＩに第２指示フィールドが含まれ、前記基地局は、現行サブフレーム内のアップリンク制御情報ＵＣＩフィードバックビット数を決定するための指示情報を、前記ＤＣＩ内の第２指示フィールドに搭載させて、ＵＥに送信し、こうして、前記ＵＥに、ＤＣＩ内の第２指示フィールドにより、現行サブフレーム内のアップリンク制御情報ＵＣＩフィードバックビット数を決定し、かつ、現行サブフレーム内のＵＣＩフィードバックビット数に基づいて、ＰＵＣＣＨのフォーマット及び/または用いられる直交シーケンスの情報を決定させるようにし、または、
前記基地局は、ＰＵＣＣＨのフォーマット及び/または用いられる直交シーケンスの情報を決定し、決定されたＰＵＣＣＨのフォーマット及び/または用いられる直交シーケンスの情報長に対応するＤＣＩを選択してＵＥに送信し、こうして、前記ＵＥに、ＤＣＩ長さに基づいて、ＰＵＣＣＨのフォーマット及び/または用いられる直交シーケンスの情報を決定させるようにすることを特徴とする請求項３１に記載の基地局。
【請求項３３】
前記ＤＣＩ内の第２指示フィールドは以下のことに用いられ：前記ＵＥは、前記現行サブフレーム内のＵＣＩフィードバックビット数及びＵＣＩフィードバックビット数とＰＵＣＣＨフォーマット及び/または用いられる直交シーケンスの情報の間の対応関係に基づき、現行サブフレーム内のＰＵＣＣＨのフォーマット及び/または用いられる直交シーケンスの情報を決定し、ここで、前記ＤＣＩ内の第２指示フィールドに基づいて決定された前記現行サブフレーム内のＵＣＩフィードバックビット数は、ＵＣＩフィードバックビット数集合内の１エレメントに対応し、前記ＵＣＩフィードバックビット数集合はＮ個のエレメントを含む。各々エレメントが１ＵＣＩフィードバックビット数に対応し、各々ＵＣＩフィードバックビット数は、ＰＵＣＣＨフォーマット及び/または用いられる直交シーケンスの情報に対応し、Ｎは２より大きいまたは等しい整数であり、または、
前記ＤＣＩ内の第２指示フィールドは、以下のことに用いられ：前記ＵＥは、現行サブフレーム内のＵＣＩフィードバックビット数、及びＵＣＩフィードバックビット数の区間とＰＵＣＣＨフォーマット及び/または用いられる直交シーケンスの情報の間の対応関係に基づいて、現行サブフレーム内のＰＵＣＣＨのフォーマット及び/または用いられる直交シーケンスの情報を決定し、ここで、前記ＤＣＩ内の第２指示フィールドにより指示された前記現行サブフレーム内のＵＣＩフィードバックビット数は、Ｍ個のＵＣＩフィードバックビット数の区間のうちの１区間に対応し、各々ＵＣＩフィードバックビット数の区間は、１種のＰＵＣＣＨフォーマット及び/または用いられる直交シーケンスの情報に対応し、Ｍは２より大きいか等しい整数であり、または、
ＤＣＩ長さは、ＰＵＣＣＨフォーマットに対応し、ここで、異なるＤＣＩ長さに対応するＰＵＣＣＨのフォーマットそれぞれは、異なり、または、
ＤＣＩ長さは、直交シーケンスの情報に対応し、ここで、異なるＤＣＩ長さに対応する直交シーケンスの情報それぞれは異なり、または、
ＤＣＩ長さは、ＰＵＣＣＨフォーマット及び直交シーケンスの情報に対応し、ここで、異なるＤＣＩ長さに対応するＰＵＣＣＨのフォーマットと用いられる直交シーケンスの組み合わせそれぞれは、異なり、または、
タイプ１のＤＣＩに対応するＰＵＣＣＨフォーマットは、拡散伝送をサポートしないか、または、固定長さの直交シーケンス拡散伝送のみをサポートし、タイプ２のＤＣＩに対応するＰＵＣＣＨフォーマットは、複数の直交シーケンスの情報に対応し、ここで、タイプ１のＤＣＩ及びタイプ２のＤＣＩ長は、異なることを特徴とする請求項３２に記載の基地局。
【請求項３４】
前記ＵＣＩフィードバックビット数集合内のＮ個のエレメントは、ＵＣＩフィードバックビット数のＮ個の値であり、または、
前記ＵＣＩフィードバックビット数集合内のＮ個のエレメントはキャリア数のＮ個の値であり、各々キャリア数の値は、１ＵＣＩフィードバックビット数の値に対応し、または、
前記ＵＣＩフィードバックビット数集合内のＮ個のエレメントはサブフレーム数のＮ個の値であり、各々サブフレーム数の値は、１ＵＣＩフィードバックビット数の値に対応し、または、
前記ＵＣＩフィードバックビット数集合内のＮ個のエレメントは、キャリアデータ及びサブフレーム数のＮ個の組み合わせであり、各々組み合わせは、１ＵＣＩフィードバックビット数の値に対応し、または、
前記ＵＣＩフィードバックビット数集合内のＮ個のエレメントはＮ個のキャリア集合であり、各々キャリア集合は、１ＵＣＩフィードバックビット数の値に対応し、または、
前記ＵＣＩフィードバックビット数集合内のＮ個のエレメントはＮ個のサブフレーム集合であり、各々サブフレーム集合は、１ＵＣＩフィードバックビット数の値に対応し、または、
前記ＵＣＩフィードバックビット数集合内のＮ個のエレメントは、キャリア集合及びサブフレーム集合のＮ個の組み合わせである各々組み合わせは、１ＵＣＩフィードバックビット数の値に対応することを特徴とする請求項３３に記載の基地局。
【請求項３５】
前記ＵＣＩフィードバックビット数集合は、予め定義されるか、または、高位層シグナリングにより設定されたものであり、
及び/または、
ＰＵＣＣＨフォーマット及び/または用いられる直交シーケンスの情報と、ＵＣＩフィードバックビット数集合内のエレメントの間の対応関係は、予め定義されるか、または、高位層シグナリングにより設定されることを特徴とする請求項３３に記載の基地局。
【請求項３６】
前記Ｍ個のＵＣＩフィードバックビット数の区間は、予め設定されるか、または、高位層シグナリングにより設定され、
及び/または、
ＰＵＣＣＨフォーマット及び/または用いられる直交シーケンスとＵＣＩフィードバックビット数の区間の間の対応関係は、予め定義されるか、または、高位層シグナリングにより設定されることを特徴とする請求項３３に記載の基地局。
【請求項３７】
前記タイプ１のＤＣＩに第３指示フィールドが含まれ、前記第３指示フィールドは、前記タイプのＤＣＩに対応する多様なＰＵＣＣＨフォーマットのうちの１タイプを指示することに用いられ、
及び/または、
前記タイプ２のＤＣＩに第３指示フィールドが含まれ、前記第３指示フィールドは、前記タイプ２のＤＣＩに対応する多様なＰＵＣＣＨフォーマットのうちの１タイプを指示することに用いられ、
及び/または、
前記タイプ２のＤＣＩには第４指示フィールドが含まれ、前記第４指示フィールドは、前記タイプ２のＤＣＩに対応する多様な長さの直交シーケンスのうちの１タイプを指示することに用いられることを特徴とする請求項３３に記載の基地局。
【請求項３８】
ＤＣＩ長さは、ＰＵＣＣＨフォーマットに対応する場合、前記ＤＣＩに第４指示フィールドが含まれ、前記第４指示フィールドは、前記ＤＣＩ長さに対応するＰＵＣＣＨに用いられる直交シーケンスの情報を指示することに用いられることを特徴とする請求項３３に記載の基地局。
【請求項３９】
前記直交シーケンスの情報は、直交シーケンスの長さ及び番号のうちの１つまたは複数を含み、各々直交シーケンスの長さに対応する直交シーケンスは予め定義され、
及び/または、
前記ＰＵＣＣＨに用いられる直交シーケンスの長さは、ＰＵＣＣＨのフォーマットに基づいて決定され、ここで、いずれのＰＵＣＣＨのフォーマットは、１タイプの長さの直交シーケンスに対応し、または、ＤＣＩ内の第７指示フィールドにはＰＵＣＣＨのフォーマットに対応する直交シーケンスの情報が搭載されており、または、前記ＰＵＣＣＨに用いられる直交シーケンスの情報は、高位層シグナリングにより通知されることを特徴とする請求項３１ないし請求項３８のいずれか１に記載の基地局。
【請求項４０】
前記ＰＵＣＣＨのフォーマットは、ＰＵＣＣＨフォーマット２、ＰＵＣＣＨフォーマット３、及び新ＰＵＣＣＨフォーマットのうちの１つまたは複数を含み、
及び/または、
決定されたＰＵＣＣＨのフォーマットがＰＵＣＣＨ フォーマット３である場合、新ＰＵＣＣＨフォーマットに対応するＵＣＩフィードバックビット数に従って伝送することを特徴とする請求項３１ないし請求項３８のいずれか１に記載の基地局。
【国際調査報告】
2018530241.tif 000058
2018530241.tif 000059
2018530241.tif 000060
2018530241.tif 000061
2018530241.tif 000062
2018530241.tif 000063